(57)【要約】  本発明は、カルボニル基を有する基を介して結合された芳香族環もしくは複素芳香族環を有する化合物を、有機発光ダイオードにおけるマトリクス材料として用いる使用に関する。更に、本発明は、マトリクス材料としての係る化合物少なくとも１種と、前記材料中に分散された発光体としての更なる物質少なくとも１種を含有するか、あるいはマトリクス材料としての係る化合物少なくとも１種と、前記材料中に分散された発光体としての更なる物質少なくとも１種からなる発光層と、係る発光層を有する有機発光ダイオードと、係る有機発光ダイオードを含む装置とに関する。  本発明は、カルボニル基を有する基を介して結合された芳香族環もしくは複素芳香族環を有する化合物を、有機発光ダイオードにおけるマトリクス材料として用いる使用に関する。【特許請求の範囲】
【請求項１】
一般式Ｉ
（Ａｒ1−Ｅ−）n−Ａｒ2      （Ｉ）
［式中、可変記号は以下の意味を有する：
Ａｒ1は、５員もしくは６員の芳香族環もしくは複素芳香族環を意味し、前記環は、一ベンゾ縮合もしくは二ベンゾ縮合されていてよく、かつ１もしくは複数のハロゲン、ＮＯ2、ＮＯ、ＣＮ、ＣＨＯ、Ｒ1、Ｘ1−ＣＯ−Ｒ1、Ｘ1−ＳＯ2−Ｒ1、Ｘ1−Ｒ1'、ＣＯ−Ｘ1−Ｒ1'又はＳＯ2−Ｘ1−Ｒ1'で置換されていてよく、
Ａｒ2は、ｎ価の有機基を意味し、前記基は、５員もしくは６員の芳香族環及び／又は複素芳香族環を含み、前記環は、１もしくは複数のハロゲン、ＮＯ2、ＮＯ、ＣＮ、ＣＨＯ、Ｒ2、ＣＯ−Ｒ2、Ｘ2−ＳＯ2−Ｒ2、Ｘ2−Ｒ2'又はＳＯ2−Ｘ2−Ｒ2'で置換されていてよく、
Ｅは、−ＣＯ−Ｏ−、−Ｏ−ＣＯ−、−ＣＯ−Ｓ−、−Ｓ−ＣＯ−、−ＣＯ−ＮＲ′−、−ＮＲ′−ＣＯ−、−Ｏ−ＣＯ−Ｏ−又は
【化１】
2008538858.tif 000097
を意味し、その際、最後の基は、アスタリスクで特徴付けられた両方の位置を介して、Ａｒ1もしくはＡｒ2の２個の隣接した炭素原子に結合されており、かつ窒素原子を介してＡｒ2もしくはＡｒ1に結合されており、
Ｒ1は、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、その際、Ｃ1〜Ｃ20−もしくはＣ2〜Ｃ20−炭素鎖において、１もしくは複数の隣接していないＣＨ2基は、酸素原子、Ｎ（Ｃ1〜Ｃ20−アルキル）基及び／又はカルボニル基によって交換されていてよく、かつＣ6〜Ｃ10−アリールもヘテロアリールも、１もしくは複数のハロゲン、ＮＯ2、ＮＯ、ＣＮ、ＣＨＯ、Ｒ、Ｘ−ＣＯ−Ｒ、Ｘ−ＳＯ2−Ｒ、Ｘ−Ｒ′、ＣＯ−Ｘ−Ｒ′又はＳＯ2−Ｘ−Ｒ′で置換されていてよく、
Ｒ2は、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、その際、Ｃ1〜Ｃ20−もしくはＣ2〜Ｃ20−炭素鎖において、１もしくは複数の隣接していないＣＨ2基は、酸素原子、Ｎ（Ｃ1〜Ｃ20−アルキル）基及び／又はカルボニル基によって交換されていてよく、かつＣ6〜Ｃ10−アリールもヘテロアリールも、１もしくは複数のハロゲン、ＮＯ2、ＮＯ、ＣＮ、ＣＨＯ、Ｒ、ＣＯ−Ｒ、Ｘ−ＳＯ2−Ｒ、Ｘ−Ｒ′又はＳＯ2−Ｘ−Ｒ′で置換されていてよく、
Ｒ1'、Ｒ2'は、互いに無関係に、水素を意味するか、又はＲ1もしくはＲ2とは無関係に、Ｒ1もしくはＲ2と同じ意味を有し、
Ｒは、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、
Ｒ′は、水素を意味するか、又はＲとは無関係に、Ｒと同じ意味を有し、
Ｘ1、Ｘ2、Ｘは、互いに無関係に、酸素、硫黄又はＮＲ1'もしくはＮＲ2'もしくはＮＲ′を意味し、その際、Ｘ1−Ｒ1'もしくはＸ2−Ｒ2'もしくはＸ−Ｒ′が、Ｎ（Ｒ1'）2基もしくはＮ（Ｒ2'）2基もしくはＮ（Ｒ′）2基に相当する場合については、両方の基Ｒ1'もしくはＲ2'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよく、かつ
ｎは、１、２、３、４、５又は６の値を意味するが、但し、
Ａｒ2中に含まれる５員もしくは６員の芳香族環及び／又は複素芳香族環の総数は、最大で６つである］で示される化合物を、有機発光ダイオードにおけるマトリクス材料として用いる使用。
【請求項２】
請求項１記載の式Ｉの化合物の使用であって、式中、可変記号が以下の意味を有する：
Ａｒ1は、５員もしくは６員の芳香族環もしくは複素芳香族環を意味し、前記環は、一ベンゾ縮合されていてよく、かつ１もしくは複数のハロゲン、ＣＮ、Ｒ1、Ｘ1−ＣＯ−Ｒ1、Ｘ1−Ｒ1'又はＣＯ−Ｘ1−Ｒ1'で置換されていてよく、
Ａｒ2は、ｎ価の有機基を意味し、前記基は、１もしくは複数の５員もしくは６員の芳香族環及び／又は複素芳香族環を含み、前記環は、１もしくは複数のハロゲン、ＣＮ、Ｒ2、ＣＯ−Ｒ2又はＸ2−Ｒ2'で置換されていてよく、
Ｅは、−ＣＯ−Ｏ−、−Ｏ−ＣＯ−、−ＣＯ−Ｓ−、−Ｓ−ＣＯ−又は
【化２】
2008538858.tif 000098
を意味し、その際、最後の基は、アスタリスクで特徴付けられた両方の位置を介して、Ａｒ1もしくはＡｒ2の２個の隣接した炭素原子に結合されており、かつ窒素原子を介してＡｒ2もしくはＡｒ1に結合されており、
Ｒ1は、Ｃ1〜Ｃ10−アルキル、Ｃ2〜Ｃ10−アルケニル、フェニル、３〜５個の炭素原子を有するヘテロアリール、フェニル−Ｃ1〜Ｃ10−アルキル、フェニル−Ｃ2〜Ｃ10−アルケニル、それぞれ３〜５個の炭素原子をヘテロアリール基中に有するヘテロアリール−Ｃ1〜Ｃ10−アルキルもしくはヘテロアリール−Ｃ2〜Ｃ10−アルケニルを意味し、その際、Ｃ1〜Ｃ10−もしくはＣ2〜Ｃ10−炭素鎖において、１もしくは複数の隣接していないＣＨ2基は、酸素原子、−Ｎ（Ｃ1〜Ｃ10−アルキル）基及び／又はカルボニル基によって交換されていてよく、かつフェニルもヘテロアリールも、１もしくは複数のハロゲン、ＣＮ、Ｒ、Ｘ−ＣＯ−Ｒ、Ｘ−Ｒ′又はＣＯ−Ｘ−Ｒ′で置換されていてよく、
Ｒ2は、Ｃ1〜Ｃ10−アルキル、Ｃ2〜Ｃ10−アルケニル、フェニル、３〜５個の炭素原子を有するヘテロアリール、フェニル−Ｃ1〜Ｃ10−アルキル、フェニル−Ｃ2〜Ｃ10−アルケニル、それぞれ３〜５個の炭素原子をヘテロアリール基中に有するヘテロアリール−Ｃ1〜Ｃ10−アルキルもしくはヘテロアリール−Ｃ2〜Ｃ10−アルケニルを意味し、その際、Ｃ1〜Ｃ10−もしくはＣ2〜Ｃ10−炭素鎖において、１もしくは複数の隣接していないＣＨ2基は、酸素原子、−Ｎ（Ｃ1〜Ｃ10−アルキル）基及び／又はカルボニル基によって交換されていてよく、かつフェニル基もヘテロアリール基も、１もしくは複数のハロゲン、ＣＮ、Ｒ、ＣＯ−Ｒ又はＸ−Ｒ′で置換されていてよく、
Ｒ1'、Ｒ2'は、互いに無関係に、水素を意味するか、又はＲ1もしくはＲ2とは無関係に、Ｒ1もしくはＲ2と同じ意味を有し、
Ｒは、Ｃ1〜Ｃ10−アルキル、Ｃ2〜Ｃ10−アルケニル、フェニル、３〜５個の炭素原子を有するヘテロアリール、フェニル−Ｃ1〜Ｃ10−アルキル、フェニル−Ｃ2〜Ｃ10−アルケニル、それぞれ３〜５個の炭素原子をヘテロアリール基中に有するヘテロアリール−Ｃ1〜Ｃ10−アルキルもしくはヘテロアリール−Ｃ2〜Ｃ10−アルケニルを意味し、
Ｒ′は、水素を意味するか、又はＲとは無関係に、Ｒと同じ意味を有し、
Ｘ1は、酸素又はＮＲ′を意味し、その際、Ｘ1−Ｒ1'が、Ｎ（Ｒ1'）2基に相当する場合については、両方の基Ｒ1'は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、６員の芳香族環もしくは複素芳香族環の構成要素であってよく、
Ｘ2、Ｘは、互いに無関係に、酸素又はＮＲ2'もしくはＮＲ′を意味し、その際、Ｘ2−Ｒ2'もしくはＸ−Ｒ′が、Ｎ（Ｒ2'）2基もしくはＮ（Ｒ′）2基に相当する場合については、両方の基Ｒ2'もしくはＲ′は、一緒になって、Ｃ4〜Ｃ5−アルキレン架橋もしくはＣ4〜Ｃ5−アルケニレン架橋を形成することができ、前記架橋において、場合により１もしくは２個の隣接していないＣＨ2基は、カルボニル基によって交換され、かつアルケニレン架橋の場合に、二重結合によって互いに結合された炭素原子は、６員の芳香族環もしくは複素芳香族環の構成要素であってよく、かつ
ｎは、１、２、３又は４の値であるが、但し、
Ａｒ2中に含まれる５員もしくは６員の芳香族環及び／又は複素芳香族環の総数は、最大で４つである、使用。
【請求項３】
請求項１記載の式Ｉの化合物の使用であって、式中、可変記号が以下の意味を有する：
Ａｒ1は、５員もしくは６員の芳香族環もしくは複素芳香族環を意味し、前記環は、１もしくは複数のハロゲン、ＣＮ、Ｒ1、Ｘ1−ＣＯ−Ｒ1、Ｘ1−Ｒ1'又はＣＯ−Ｘ1−Ｒ1'で置換されていてよく、
Ａｒ2は、ｎ価の有機基を意味し、前記基は、１もしくは複数の５員もしくは６員の芳香族環及び／又は複素芳香族環を含み、前記環は、１もしくは複数のハロゲン、ＣＮ、Ｒ2、ＣＯ−Ｒ2又はＸ2−Ｒ2'で置換されていてよく、
Ｅは、−ＣＯ−Ｏ−又は−Ｏ−ＣＯ−を意味し、
Ｒ1、Ｒ2は、互いに無関係に、Ｃ1〜Ｃ8−アルキル、フェニル、３〜５個の炭素原子を有するヘテロアリール、フェニル−Ｃ1〜Ｃ8−アルキル、フェニル−Ｃ2〜Ｃ8−アルケニル、それぞれ３〜５個の炭素原子をヘテロアリール基中に有するヘテロアリール−Ｃ1〜Ｃ8−アルキルもしくはヘテロアリール−Ｃ2〜Ｃ8−アルケニルを意味し、その際、フェニルもヘテロアリールも、１もしくは複数のハロゲン、ＣＮ、Ｒ又はＸ−Ｒ′で置換されていてよく、
Ｒ1'、Ｒ2'は、互いに無関係に、水素を意味するか、又はＲ1もしくはＲ2とは無関係に、Ｒ1もしくはＲ2と同じ意味を有し、
Ｒは、Ｃ1〜Ｃ8−アルキル又はフェニルを意味し、
Ｒ′は、水素を意味するか、又はＲとは無関係に、Ｒと同じ意味を有し、
Ｘ1は、酸素又はＮＲ1'を意味し、その際、Ｘ1−Ｒ1'が、Ｎ（Ｒ1'）2基に相当する場合については、両方の基Ｒ1'は、一緒になって、Ｃ4〜Ｃ5−アルキレン架橋もしくはＣ4〜Ｃ5−アルケニレン架橋を形成することができ、前記架橋において、場合により１もしくは２個の隣接していないＣＨ2基は、カルボニル基によって交換されていてよく、
Ｘ2、Ｘは、互いに無関係に、酸素又はＮＲ2'もしくはＮＲ′を意味し、かつ
ｎは、１、２、３又は４の値を意味するが、但し、
Ａｒ2中に含まれる５員もしくは６員の芳香族環及び／又は複素芳香族環の総数は、最大で４つである、使用。
【請求項４】
請求項１から３までのいずれか１項記載の式Ｉの化合物の使用であって、前記化合物が分子量２００〜２０００ｇ／モルを有する使用。
【請求項５】
マトリクス材料としての、請求項１から４までのいずれか１項記載の少なくとも１種の式Ｉの化合物と、前記材料中に分散された発光体としての少なくとも１種の他の物質とを含有する発光層。
【請求項６】
マトリクス材料としての、請求項１から４までのいずれか１項記載の少なくとも１種の式Ｉの化合物と、前記材料中に分散された発光体としての少なくとも１種の他の物質とからなる発光層。
【請求項７】
請求項５又は６に記載の発光層を含む有機発光ダイオード。
【請求項８】
請求項７に記載の有機発光ダイオードを含む、定置式ディスプレイ、例えばコンピュータ、テレビのディスプレイ、プリンターのディスプレイ、調理機器のディスプレイ並びに宣伝用ボード、照明、標識板及び可動式ディスプレイ、例えば携帯機器、ラップトップ、デジタルカメラ、車両のディスプレイ並びにバス及び電車の行き先表示板からなる群から選択される装置。
【発明の詳細な説明】
【技術分野】
【０００１】
本発明は、カルボニル基を有する基を介して結合された芳香族環もしくは複素芳香族環を有する化合物を、有機発光ダイオードにおけるマトリクス材料として用いる使用に関する。更に、本発明は、マトリクス材料としての係る化合物少なくとも１種と、前記材料中に分散された発光体としての更なる物質少なくとも１種を含有するか、あるいはマトリクス材料としての係る化合物少なくとも１種と、前記材料中に分散された発光体としての更なる物質少なくとも１種からなる発光層と、係る発光層を有する有機発光ダイオードと、係る有機発光ダイオードを含む装置とに関する。
【０００２】
発光ダイオード（ＯＬＥＤ）においては、電流によって励起された場合に光を放出する材料の特性が用いられる。ＯＬＥＤは、特に陰極線管及び液晶ディスプレイの代替として、平面ディスプレイの製造のために関心が持たれている。そのコンパクトな構造及び本来より低い電流消費に基づいて、ＯＬＥＤを含む装置は、特に可搬用途、例えば携帯機器、ラップトップなどで使用するために適している。
【０００３】
電流による励起に際して光を発する多数の物質が提案されている。その際、前記物質はそれ自体で発光体として機能するか、又はこれらの物質は、本来の発光体を分散形で含有するマトリクス材料からなる。
【０００４】
ここで、例えば刊行物ＵＳ２００４／０２０９１１５号Ａ１は、マトリクス材料として、一般式ＸＡｒ1Ａｒ2Ａｒ3Ａｒ4で示され、その式中、Ｘが炭素、ケイ素、ゲルマニウム、スズ、鉛、チタン、ジルコニウムもしくはハフニウムを表し、かつ可変記号Ａｒ1ないしＡｒ4は、置換されていてよく、かつ互いに結合されていてよいフェニル基もしくは単核のヘテロアリール基を指す化合物を開示している。
【０００５】
刊行物ＷＯ００／７０６５５号Ａ２においては、マトリクス材料として４，４′−Ｎ，Ｎ′−ジカルバゾールビフェニル（"ＣＢＰ"）が提案されている。
【０００６】
Ｍ．Ｎｏｍｕｒａ他は、出版物Ｓｙｎｔｈｅｔｉｃ Ｍｅｔａｌｓ，１３２（２００２），９−１３において、１，１，１−トリス（４−（４−（Ｎ−フェニル−１−ナフチルアミノ）ベンゾイルオキシ）フェニル）エタンの製造と、それを有機発光ダイオードにおける正孔輸送材料として用いる使用とを記載している。前記物質のマトリクス材料としての適性は、前記論文からは引き出せない。
【０００７】
従って、本発明の課題は、容易に利用でき、かつ本来の発光体１種以上と組み合わせてＯＬＥＤにおいて良好な輝度及び量子収率をもたらす、ＯＬＥＤで使用するための、特にＯＬＥＤの発光層のための更なるマトリクス材料を提供することであった。
【０００８】
前記課題は、一般式Ｉ
（Ａｒ1−Ｅ−）n−Ａｒ2      （Ｉ）
［式中、可変記号は以下の意味を有する：
Ａｒ1は、５員もしくは６員の芳香族環もしくは複素芳香族環を意味し、前記の環は、一ベンゾ縮合もしくは二ベンゾ縮合されていてよく、かつ１もしくは複数のハロゲン、ＮＯ2、ＮＯ、ＣＮ、ＣＨＯ、Ｒ1、Ｘ1−ＣＯ−Ｒ1、Ｘ1−ＳＯ2−Ｒ1、Ｘ1−Ｒ1'、ＣＯ−Ｘ1−Ｒ1'もしくはＳＯ2−Ｘ1−Ｒ1'で置換されていてよく、
Ａｒ2は、ｎ価の有機基を意味し、前記基は、１もしくは複数の５員もしくは６員の芳香族環及び／又は複素芳香族環を有し、前記環は、１もしくは複数のハロゲン、ＮＯ2、ＮＯ、ＣＮ、ＣＨＯ、Ｒ2、ＣＯ−Ｒ2、Ｘ2−ＳＯ2−Ｒ2、Ｘ2−Ｒ2'もしくはＳＯ2−Ｘ2−Ｒ2'で置換されていてよく、
Ｅは、−ＣＯ−Ｏ−、−Ｏ−ＣＯ−、−ＣＯ−Ｓ−、−Ｓ−ＣＯ−、−ＣＯ−ＮＲ′−、−ＮＲ′−ＣＯ−、−Ｏ−ＣＯ−Ｏ−又は
【化１】
2008538858.tif 000002
を意味し、その際、最後の基は、アスタリスクで特徴付けられた両方の位置を介してＡｒ1もしくはＡｒ2の２個の隣接する炭素原子に結合されており、かつ窒素原子を介してＡｒ2もしくはＡｒ1に結合されており、
Ｒ1は、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、その際、Ｃ1〜Ｃ20−あるいはＣ2〜Ｃ20−炭素鎖において１もしくは複数の隣接していないＣＨ2基は、酸素原子、−Ｎ（Ｃ1〜Ｃ20−アルキル）基及び／又はカルボニル基によって交換されていてよく、かつＣ6〜Ｃ10−アリールもヘテロアリールも、１もしくは複数のハロゲン、ＮＯ2、ＮＯ、ＣＮ、ＣＨＯ、Ｒ、Ｘ−ＣＯ−Ｒ、Ｘ−ＳＯ2−Ｒ、Ｘ−Ｒ′、ＣＯ−Ｘ−Ｒ′もしくはＳＯ2−Ｘ−Ｒ′で置換されていてよく、
Ｒ2は、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、その際、Ｃ1〜Ｃ20−あるいはＣ2〜Ｃ20−炭素鎖において１もしくは複数の隣接していないＣＨ2基は、酸素原子、−Ｎ（Ｃ1〜Ｃ20−アルキル）基及び／又はカルボニル基によって交換されていてよく、かつＣ6〜Ｃ10−アリールもヘテロアリールも、１もしくは複数のハロゲン、ＮＯ2、ＮＯ、ＣＮ、ＣＨＯ、Ｒ、ＣＯ−Ｒ、Ｘ−ＳＯ2−Ｒ、Ｘ−Ｒ′もしくはＳＯ2−Ｘ−Ｒ′で置換されていてよく、
Ｒ1'、Ｒ2'は、互いに無関係に、水素を意味するか、又はＲ1もしくはＲ2とは無関係に、Ｒ1もしくはＲ2と同じ意味を有し、
Ｒは、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、
Ｒ′は、水素を意味するか、又はＲとは無関係に、Ｒと同じ意味を有し、
Ｘ1、Ｘ2、Ｘは、互いに無関係に、酸素、硫黄又はＮＲ1'もしくはＮＲ2'もしくはＮＲ′を意味し、その際、Ｘ1−Ｒ1'もしくはＸ2−Ｒ2'もしくはＸ−Ｒ′がＮ（Ｒ1'）2基もしくはＮ（Ｒ2'）2基もしくはＮ（Ｒ′）2基に相当する場合については、両方の基Ｒ1'もしくはＲ2'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、その架橋において場合により１もしくは２個の隣接していないＣＨ2基はカルボニル基によって交換され、かつアルケニレン架橋及びアルカジエニレン架橋の場合には、１つ以上の二重結合によって互いに結合された炭素原子は、ベンゾ縮合されていてよい６員の芳香族環もしくは複素芳香族環の構成要素であってよく、かつ
ｎは、１、２、３、４、５又は６の値であるが、但し、
Ａｒ2中に含まれる５員もしくは６員の芳香族環及び／又は複素芳香族環の総数は、最大で６つである］で示される化合物を、有機発光ダイオードにおけるマトリクス材料として用いる使用によって解決される。
【０００９】
式Ｉ中のＥが−ＣＯ−Ｏ−、−Ｏ−ＣＯ−、−ＣＯ−Ｓ−、−Ｓ−ＣＯ−、−ＣＯ−ＮＲ′−又は−ＮＲ′−ＣＯ−の意味に該当する場合に、そのＡｒ2への結合は、カルボニル基を介しても、ヘテロ原子を介しても行うことができる。更に、式Ｉの同じ分子において、上述のｎ個の結合性基Ｅの一部はカルボニル基を介して結合され、その他の部分はヘテロ原子を介して結合されていてよい。
【００１０】
有利には、全てのｎ個の基ＥのＡｒ2への結合は、同様に、すなわちカルボニル基もしくはヘテロ原子のいずれかを介して行われる。
【００１１】
一般に、式Ｉ中のｎ個の基Ｅは、互いに異なっていてよい。
【００１２】
有利には、式Ｉ中のｎ個の基Ｅは同一であり、かつＡｒ2への種々の結合が可能である限りは、それらは同様に結合されている。
【００１３】
一般に、式Ｉ中のｎ個の基Ａｒ1は、互いに異なっていてよい。
【００１４】
有利には、式Ｉ中のｎ個の基Ａｒ1は同一である。
【００１５】
一般に、式Ｉ中のｎ個の基Ａｒ1−Ｅは、互いに異なっていてよい。特に、その際は、一方では、結合性基Ｅは、その化学的性質に関しても、また示された場合においては、そのＡｒ2への結合の種類においても互いに異なってよく、他方ではまた、基Ａｒ1は、その化学的性質に関して互いに異なってもよい。
【００１６】
有利には、式Ｉ中のｎ個の基Ａｒ1−Ｅは同一である。それぞれのｎ個の同じ基Ａｒ1が、同様に、結合性基Ｅを介してＡｒ2に結合されていることを意味するのは、後者の基の場合に種々の結合の可能性が存在する場合である。
【００１７】
可変記号Ｒ1及びＲ2並びにＲ1'及びＲ2'については、以下のものが該当する：
Ｃ1〜Ｃ20−アルキルであってそのＣ1〜Ｃ20−炭素鎖において１もしくは複数の隣接していないＣＨ2基が酸素原子によって交換されていてよいものとしては、例えばメチル、エチル、プロピル、イソプロピル、ブチル、イソブチル、ｓ−ブチル、ｔ−ブチル、ペンチル、イソペンチル、ネオペンチル、ｔ−ペンチル、ヘキシル、２−メチルペンチル、ヘプチル、へプチ−３−イル、オクチル、２−エチルヘキシル、イソオクチル、ノニル、イソノニル、デシル、イソデシル、ウンデシル、ドデシル、トリデシル、３，５，５，７−テトラメチルノニル、イソトリデシル（上述の名称のイソオクチル、イソノニル、イソデシル及びイソトリデシルは、慣用名であり、オキソ合成により得られるアルコールに由来するものである  −  それについてはウールマンの工業化学事典（Ｕｌｌｍａｎｎｓ Ｅｎｃｙｋｌｏｐａｅｄｉｅ ｄｅｒ ｔｅｃｈｎｉｓｃｈｅｎ Ｃｈｅｍｉｅ），第４版、第７巻、第２１５〜２１７頁並びに第１１巻、第４３５〜４３６頁を参照のこと）、テトラデシル、ペンタデシル、ヘキサデシル、ヘプタデシル、オクタデシル、ノナデシル、エイコシル、メトキシメチル、２−エチルヘキソキシメチル、２−メトキシエチル、２−エトキシエチル、２−プロポキシエチル、２−イソプロポキシエチル、２−ブトキシエチル、２−もしくは３−メトキシプロピル、２−もしくは３−エトキシプロピル、２−もしくは３−プロポキシプロピル、２−もしくは３−ブトキシプロピル、２−もしくは４−メトキシブチル、２−もしくは４−エトキシブチル、２−もしくは４−プロポキシブチル、２−もしくは４−ブトキシブチル、３，６−ジオキサヘプチル、３，６−ジオキサオクチル、４，８−ジオキサノニル、３，７−ジオキサオクチル、３，７−ジオキサノニル、４，７−ジオキサオクチル、４，７−ジオキサノニル、４，８−ジオキサデシル、３，６，８−トリオキサデシル、３，６，９−トリオキサウンデシル、３，６，９，１２−テトラオキサトリデシル又は３，６，９，１２−テトラオキサテトラデシルが該当する；隣接していないＣＨ2基が−Ｎ（Ｃ1〜Ｃ20−アルキル）基もしくはカルボニル基によって交換されている相応の基は、形式上、前記の例示された酸素を含む基から、酸素原子をＮ（Ｃ1〜Ｃ20−アルキル）基もしくはカルボニル基で交換することによって導き出すことができる。
【００１８】
Ｃ2〜Ｃ20−アルケニルであってそのＣ2〜Ｃ20−炭素鎖において１もしくは複数の隣接していないＣＨ2基が酸素原子、Ｎ（Ｃ1〜Ｃ20−アルキル）基及び／又はカルボニル基によって交換されていてよいものとしては、特にＣ2〜Ｃ20−アルケ−１−エニル基が該当する。これらは、前記の例示された好適な基から、隣接した炭素原子に存在する２つの水素原子を更なる炭素−炭素結合によって形式上交換することによって導き出すことができる。
【００１９】
Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキル及びヘテロアリール−Ｃ2〜Ｃ20−アルケニルであってそのＣ1〜Ｃ20−あるいはＣ2〜Ｃ20−炭素鎖において１もしくは複数の隣接していないＣＨ2基が酸素原子、Ｎ（Ｃ1〜Ｃ20−アルキル）基及び／又はカルボニル基によって交換されていてよいものとしては、特に前記の例示された基から、末端水素原子をＣ6〜Ｃ10−アリールもしくは２〜１２個の炭素原子を有するヘテロアリールによって形式上交換することによって導き出すことができるものが該当する。
【００２０】
Ｃ6〜Ｃ10−アリールとしては、特にフェニル及びナフチルが該当する。
【００２１】
２〜１２個の炭素原子を有するヘテロアリールとしては、例えばピロール、フラン、チオフェン、ピラゾール、イソキサゾール、イソチアゾール、イミダゾール、１Ｈ−１，２，３−トリアゾール、１Ｈ−１，２，４−トリアゾール、ピリジン、ピラジン、ピリダジン、１Ｈ−アゼピン、２Ｈ−アゼピン、オキサゾール、チアゾール、１，２，３−、１，２，４−もしくは１，３，４−オキサジアゾール、１，２，３−、１，２，４−もしくは１，３，４−チアジアゾール並びにベンゾ縮もしくはジベンゾ縮合されていてよい環、例えばキノリン、イソキノリン、インドール、ベンゾ［ｂ］フラン（クマロン）、ベンゾ［ｂ］チオフェン（チオナフテン）、カルバゾール、ジベンゾフラン、ジベンゾチオフェン、１Ｈ−インダゾール、インドキサゾール、ベンゾ［ｄ］イソチアゾール、アントラニル、ベンゾイミダゾール、ベンゾオキサゾール、ベンゾチアゾール、シンノリン、フタラジン、キナゾリン、キノキサリンもしくはフェナジンから導き出すことができる基が該当する。
【００２２】
可変記号Ｒ1並びにＲ1'及びＲ2'の場合に、Ｃ6〜Ｃ10−アリールもしくは２〜１２個の炭素原子を有するヘテロアリールは、１もしくは複数の置換基のハロゲン、ＮＯ2、ＮＯ、ＣＮ、ＣＨＯ、Ｒ、Ｘ−ＣＯ−Ｒ、Ｘ−ＳＯ2−Ｒ、Ｘ−Ｒ′、ＣＯ−Ｘ−Ｒ′又はＳＯ2−Ｘ−Ｒ′で置換されていてよい。
【００２３】
可変記号Ｒ2並びにＲ2'の場合に、Ｃ6〜Ｃ10−アリールもしくは２〜１２個の炭素原子を有するヘテロアリールは、１もしくは複数の置換基のハロゲン、ＮＯ2、ＮＯ、ＣＮ、ＣＨＯ、Ｒ、ＣＯ−Ｒ、Ｘ−ＳＯ2−Ｒ、Ｘ−Ｒ′又はＳＯ2−Ｘ−Ｒ′で置換されていてよい。
【００２４】
この場合、ハロゲンは、それぞれフッ素、塩素、臭素もしくはヨウ素、特にフッ素もしくは塩素を意味する。
【００２５】
可変記号Ｒ及びＲ′については、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキル及びヘテロアリール−Ｃ2〜Ｃ20−アルケニルは、既に例としてともに上述した基が該当する。
【００２６】
可変記号Ｘ1、Ｘ2及びＸは、互いに無関係に、酸素、硫黄又はＮＲ1'もしくはＮＲ2'もしくはＮＲ′を意味する。Ｘ1−Ｒ1'もしくはＸ2−Ｒ2'もしくはＸ−Ｒ′がＮ（Ｒ1'）2基もしくはＮ（Ｒ2'）2基もしくはＮ（Ｒ′）2基に相当する限りは、両方の基Ｒ1'もしくはＲ2'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができる。前記の架橋において、場合により１もしくは２個の隣接していないＣＨ2基はカルボニル基によって交換されていてよい。更に、アルケニレン架橋及びアルカジエニレン架橋の場合において、１つ以上の二重結合によって互いに結合された炭素原子は、ベンゾ縮合されていてよい６員の芳香族環もしくは複素芳香族環の構成要素であってよい。
【００２７】
ここでは例えば、Ｎ（Ｒ1'）2基もしくはＮ（Ｒ2'）2基もしくはＮ（Ｒ′）2基であって両方の基Ｒ1'もしくはＲ2'もしくはＲ′が一緒になって相応の架橋を形成するものとしては、
【化２】
2008538858.tif 000003
が挙げられる。
【００２８】
好ましい一実施態様においては、本発明は、式Ｉで示され、その式中の可変記号が以下の意味を有する：
Ａｒ1は、５員もしくは６員の芳香族環もしくは複素芳香族環を意味し、前記の環は、一ベンゾ縮合されていてよく、かつ１もしくは複数のハロゲン、ＣＮ、Ｒ1、Ｘ1−ＣＯ−Ｒ1、Ｘ1−Ｒ1'もしくはＣＯ−Ｘ1−Ｒ1'で置換されていてよく、
Ａｒ2は、ｎ価の有機基を意味し、前記基は、１もしくは複数の５員もしくは６員の芳香族環及び／又は複素芳香族環を有し、前記環は、１もしくは複数のハロゲン、ＣＮ、Ｒ2、ＣＯ−Ｒ2もしくはＸ2−Ｒ2'で置換されていてよく、
Ｅは、−ＣＯ−Ｏ−、−Ｏ−ＣＯ−、−ＣＯ−Ｓ−、−Ｓ−ＣＯ−又は
【化３】
2008538858.tif 000004
を意味し、その際、最後の基は、アスタリスクで特徴付けられた両方の位置を介してＡｒ1もしくはＡｒ2の２個の隣接する炭素原子に結合されており、かつ窒素原子を介してＡｒ2もしくはＡｒ1に結合されており、
Ｒ1は、Ｃ1〜Ｃ10−アルキル、Ｃ2〜Ｃ10−アルケニル、フェニル、３〜５個の炭素原子を有するヘテロアリール、フェニル−Ｃ1〜Ｃ10−アルキル、フェニル−Ｃ2〜Ｃ10−アルケニル、それぞれ３〜５個の炭素原子をヘテロアリール基中に有するヘテロアリール−Ｃ1〜Ｃ10−アルキルもしくはヘテロアリール−Ｃ2〜Ｃ10−アルケニルを意味し、その際、Ｃ1〜Ｃ10−あるいはＣ2〜Ｃ10−炭素鎖において１もしくは複数の隣接していないＣＨ2基は、酸素原子、−Ｎ（Ｃ1〜Ｃ10−アルキル）基及び／又はカルボニル基によって交換されていてよく、かつフェニルもヘテロアリールも、１もしくは複数のハロゲン、ＣＮ、Ｒ、Ｘ−ＣＯ−Ｒ、Ｘ−Ｒ′もしくはＣＯ−Ｘ−Ｒ′で置換されていてよく、
Ｒ2は、Ｃ1〜Ｃ10−アルキル、Ｃ2〜Ｃ10−アルケニル、フェニル、３〜５個の炭素原子を有するヘテロアリール、フェニル−Ｃ1〜Ｃ10−アルキル、フェニル−Ｃ2〜Ｃ10−アルケニル、それぞれ３〜５個の炭素原子をヘテロアリール基中に有するヘテロアリール−Ｃ1〜Ｃ10−アルキルもしくはヘテロアリール−Ｃ2〜Ｃ10−アルケニルを意味し、その際、Ｃ1〜Ｃ10−あるいはＣ2〜Ｃ10−炭素鎖において１もしくは複数の隣接していないＣＨ2基は、酸素原子、−Ｎ（Ｃ1〜Ｃ10−アルキル）基及び／又はカルボニル基によって交換されていてよく、かつフェニルもヘテロアリールも、１もしくは複数のハロゲン、ＣＮ、Ｒ、ＣＯ−ＲもしくはＸ−Ｒ′で置換されていてよく、
Ｒ1'、Ｒ2'は、互いに無関係に、水素を意味するか、又はＲ1もしくはＲ2とは無関係に、Ｒ1もしくはＲ2と同じ意味を有し、
Ｒは、Ｃ1〜Ｃ10−アルキル、Ｃ2〜Ｃ10−アルケニル、フェニル、３〜５個の炭素原子を有するヘテロアリール、フェニル−Ｃ1〜Ｃ10−アルキル、フェニル−Ｃ2〜Ｃ10−アルケニル、それぞれ３〜５個の炭素原子をヘテロアリール基中に有するヘテロアリール−Ｃ1〜Ｃ10−アルキルもしくはヘテロアリール−Ｃ2〜Ｃ10−アルケニルを意味し、
Ｒ′は、水素を意味するか、又はＲとは無関係に、Ｒと同じ意味を有し、
Ｘ1は、酸素又はＮＲ1'を意味し、その際、Ｘ1−Ｒ1'がＮ（Ｒ1'）2基に相当する場合については、両方の基Ｒ1'は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、その架橋において場合により１もしくは２個の隣接していないＣＨ2基はカルボニル基によって交換され、かつアルケニレン架橋及びアルカジエニレン架橋の場合には、１つ以上の二重結合によって互いに結合された炭素原子は、６員の芳香族環もしくは複素芳香族環の構成要素であってよく、
Ｘ2、Ｘは、互いに無関係に、酸素又はＮＲ2'もしくはＮＲ′を意味し、その際、Ｘ2−Ｒ2'もしくはＸ−Ｒ′がＮ（Ｒ2'）2基もしくはＮ（Ｒ′）2基に相当する場合については、両方の基Ｒ2'もしくはＲ′は、一緒になって、Ｃ4〜Ｃ5−アルキレン架橋又はＣ4〜Ｃ5−アルケニレン架橋を形成することができ、その架橋において場合により１もしくは２個の隣接していないＣＨ2基はカルボニル基によって交換され、かつアルケニレン架橋の場合には、二重結合によって互いに結合された炭素原子は、６員の芳香族環もしくは複素芳香族環の構成要素であってよく、かつ
ｎは、１、２、３又は４の値であるが、但し、
Ａｒ2中に含まれる５員もしくは６員の芳香族環及び／又は複素芳香族環の総数は、最大で４つである
、化合物の使用に関する。
【００２９】
特に好ましい一実施態様においては、本発明は、式Ｉで示され、その式中の可変記号が以下の意味を有する：
Ａｒ1は、５員もしくは６員の芳香族環もしくは複素芳香族環を意味し、前記の環は、１もしくは複数のハロゲン、ＣＮ、Ｒ1、Ｘ1−ＣＯ−Ｒ1、Ｘ1−Ｒ1'もしくはＣＯ−Ｘ1−Ｒ1'で置換されていてよく、
Ａｒ2は、ｎ価の有機基を意味し、前記基は、１もしくは複数の５員もしくは６員の芳香族環及び／又は複素芳香族環を有し、前記環は、１もしくは複数のハロゲン、ＣＮ、Ｒ2、ＣＯ−Ｒ2もしくはＸ2−Ｒ2'で置換されていてよく、
Ｅは、−ＣＯ−Ｏ−又は−Ｏ−ＣＯ−を意味し、
Ｒ1、Ｒ2は、互いに無関係に、Ｃ1〜Ｃ8−アルキル、フェニル、３〜５個の炭素原子を有するヘテロアリール、フェニル−Ｃ1〜Ｃ8−アルキル、フェニル−Ｃ2〜Ｃ8−アルケニル、それぞれ３〜５個の炭素原子をヘテロアリール基中に有するヘテロアリール−Ｃ1〜Ｃ8−アルキルもしくはヘテロアリール−Ｃ2〜Ｃ8−アルケニルを意味し、その際、フェニルもヘテロアリールも、１もしくは複数のハロゲン、ＣＮ、ＲもしくはＸ−Ｒ′で置換されていてよく、
Ｒ1'、Ｒ2'は、互いに無関係に、水素を意味するか、又はＲ1もしくはＲ2とは無関係に、Ｒ1もしくはＲ2と同じ意味を有し、
Ｒは、Ｃ1〜Ｃ8−アルキル又はフェニルを意味し、
Ｒ′は、水素を意味するか、又はＲとは無関係に、Ｒと同じ意味を有し、
Ｘ1は、酸素又はＮＲ1'を意味し、その際、Ｘ1−Ｒ1'がＮ（Ｒ1'）2基に相当する場合については、両方の基Ｒ1'は、一緒になって、Ｃ4〜Ｃ5−アルキレン架橋又はＣ4〜Ｃ5−アルケニレン架橋を形成することができ、その架橋において場合により１もしくは２個の隣接していないＣＨ2基はカルボニル基によって交換されていてよく、
Ｘ2、Ｘは、互いに無関係に、酸素又はＮＲ2'もしくはＮＲ′を意味し、かつ
ｎは、１、２、３又は４の値であるが、但し、
Ａｒ2中に含まれる５員もしくは６員の芳香族環及び／又は複素芳香族環の総数は、最大で４つである
、化合物の使用に関する。
【００３０】
芳香族環及び／又は複素芳香族環の総数に関して、Ａｒ2中に含まれる５員もしくは６員の芳香族環もしくは複素芳香族環の総数が最大で６つ、あるいは好ましくはもしくは特に好ましくは４つであるという条件は、例えばＡｒ2中に含まれるナフチル基、ベンゾフラン基、ベンゾイミダゾール基、ベンゾオキサゾール基もしくはベンゾチアゾール基が、それぞれ２つの環とみなされるべきこと、アントラセン基、カルバゾール基もしくはジベンゾフラン基が、それぞれ３つの環と見なされるべきこと、そしてトリフェニレン基が、４つの環と見なされるべきことを表す。
【００３１】
前記の条件は、また、芳香族環及び／又は複素芳香族環の総数において、有機基Ａｒ2の芳香族環及び／又は複素芳香族環の置換基Ｒ2、ＣＯ−Ｒ2、Ｘ2−ＳＯ2−Ｒ2、Ｘ2−Ｒ2'及びＳＯ2−Ｘ2−Ｒ2'中に現れうる環も考慮すべきことを表す。例えば、Ｒ2及びＲ2'がそれ自体、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルに相当する場合がその例である。しかしながら更に、基ＣＯ−Ｒ2、Ｘ2−ＳＯ2−Ｒ2及びＸ2−Ｒ2'中のＲ2及びＲ2'がそれ自体、芳香族環もしくは複素芳香族環を含まないが、該環が結合性基Ｘ2中に含まれており、その基がＮＲ2（もしくはＮＲ2'）の意味に適しており、かつＲ2（もしくはＲ2'）が、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルに相当する場合もその例である。
【００３２】
更に、ｎ価の有機基Ａｒ2中の１もしくは複数の５員もしくは６員の芳香族環及び／又は複素芳香族環の可能な置換基とは、２もしくは複数の相応の環の構成要素ではない基を表すことが望ましい。
【００３３】
以下に、本発明により使用されるべき化合物
【化４】
2008538858.tif 000005
について例示して説明する。
【００３４】
断片
【化５】
2008538858.tif 000006
は、本発明の範囲においては、２個の６員の芳香族環を含む２価の有機基Ａｒ2（ｎ＝２）に相当する。それらは、それぞれ２個のメチル基で置換されている（Ｃ1〜Ｃ20−アルキルの意味におけるそれぞれ２個の置換基Ｒ2に相当する）；両方の環の間のシクロペンチリデン架橋は、環の更なる置換基として表されず、有機基Ａｒ2の部分として表される。２価の基Ａｒ2に結合される両方のベンゾイルオキシ基は、本発明の範囲においては、基Ａｒ1−Ｅに相当し、式中、両方のＡｒ1は、それぞれ６員の芳香族環を意味し、かつ両方のＥは、それぞれカルボニルオキシ基を意味し、前記基はカルボニル基を介してＡｒ1に結合されており、かつヘテロ原子の酸素を介して有機基Ａｒ2に結合されている。
【００３５】
本発明の範囲においては、当然のように、一方の基Ａｒ1−Ｅが酸素を介して、かつもう一方の基Ａｒ1−Ｅがカルボニル基を介した結合も、もしくは両方の基Ａｒ1−Ｅがカルボニル基を介して有機基Ａｒ2に結合することも可能である。
【００３６】
前記の場合に、以下に示される化合物
【化６】
2008538858.tif 000007
あるいは
【化７】
2008538858.tif 000008
が得られる。
【００３７】
更に、ｎ価の有機基Ａｒ2中の１もしくは複数の５員もしくは６員の芳香族環及び／又は複素芳香族環の可能な置換基とは、相応の環の１つの位置だけで結合されている基を表すことが望ましい。
【００３８】
以下に示される本発明により使用されるべき化合物
【化８】
2008538858.tif 000009
が例として挙げられる。本発明の範囲においては、断片
【化９】
2008538858.tif 000010
は、６員の芳香族環を含み、かつ更に置換されていない２価の有機基Ａｒ2に相当する。１，１，４，４−テトラメチルテトラメチレン架橋であってそれらの炭素原子が同じ環の２位と３位において架橋するものは、有機基Ａｒ2の部分として表される。
【００３９】
例として、以下に挙げる化合物
【化１０】
2008538858.tif 000011
においては、上述の態様の両方ともが示されている。
【００４０】
ここで、断片
【化１１】
2008538858.tif 000012
は、本発明の範囲においては、２個の６員の芳香族環を含み、それらがそれぞれ２個のメチル基で置換されている２価の有機基Ａｒ2に相当する。
【００４１】
前記の実施態様並びに例示は、適切に、本願に含まれる全ての化合物に対して適用できる。
【００４２】
特に、本発明によれば、分子量２００〜２０００ｇ／モルを有する係る化合物及びその好ましい実施形態が使用される。
【００４３】
本発明により使用される式Ｉの化合物は、当業者に公知の方法に従って製造でき、かつ有機発光ダイオード（ＯＬＥＤ）におけるマトリクス材料として使用するために極めて適している。
【００４４】
以下に、本発明により使用されるべき化合物であって有機基Ａｒ2がより詳細に定義されているものの種々の群を記載する。
【００４５】
記載される各群について種々の可変記号を挿入することは可変記号の指示に複雑な多様性を持たせるので、これらは以下で何度も使用される。しかしながら可変記号はそれぞれ化合物群について局所的に定義されているので、混同の危険性はもたらされない。
【００４６】
２価の有機基Ａｒ2を有する化合物の好適な一群は、一般式１
【化１２】
2008538858.tif 000013
［式中、環Ａ1及びＡ2は、互いに無関係に、付加的になおもそれぞれ１もしくは２個のＣ1〜Ｃ4−アルキルもしくはＣ1〜Ｃ4−アルコキシで置換されていてよく、かつ可変記号は以下のものを意味する：
Ｙは、化学的な単結合、Ｃ2〜Ｃ4−アルキレン、酸素、硫黄、ＳＯ、ＳＯ2、ＮＺ1、−Ｃ（Ｚ2）＝Ｃ（Ｚ3）−又はＣＺ2Ｚ3を意味し、
Ｙ′は、化学的な単結合、酸素又は硫黄を意味し、
ｐは、０又は１の値を意味し、
Ｚ1、Ｚ2、Ｚ3は、互いに無関係に、水素、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、その際、Ｃ1〜Ｃ20−もしくはＣ2〜Ｃ20−炭素鎖において１もしくは複数の隣接していないＣＨ2基は、酸素原子、Ｎ（Ｃ1〜Ｃ20−アルキル）基及び／又はカルボニル基によって交換されていてよく、かつＣ6〜Ｃ10−アリールもヘテロアリールも、１もしくは複数のハロゲン、ＮＯ2、ＮＯ、ＣＮ、ＣＨＯ、Ｚ、ＣＯ−Ｚ、Ｗ−ＳＯ2−Ｚ、Ｗ−Ｚ′もしくはＳＯ2−Ｗ−Ｚ′で置換されていてよく、その際、基−Ｃ（Ｚ2）＝Ｃ（Ｚ3）−もしくはＣＺ2Ｚ3において両方の基Ｚ2及びＺ3は一緒になって、Ｃ4〜Ｃ5−アルキレン架橋、Ｃ4〜Ｃ5−アルケニレン架橋もしくはＣ4〜Ｃ5−アルカジエニレン架橋を形成してよく、前記架橋において、場合により１もしくは２個の隣接していないＣＨ2基は、酸素及び／又はカルボニル基によって交換され、かつアルケニレン架橋及びアルカジエニレン架橋の場合には、１つ以上の二重結合によって互いに結合された炭素原子は、ベンゾ縮合されていてよい６員の芳香族環もしくは複素芳香族環の構成要素であってよく、
Ｚは、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、
Ｚ′は、水素を意味するか、又はＺとは無関係に、Ｚと同じ意味を有し、
Ｗは、酸素、硫黄又はＮＺ′を意味し、その際、Ｗ−Ｚ′が、Ｎ（Ｚ′）2基に相当する場合については、両方の基Ｚ′は一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において場合により１もしくは２個の隣接していないＣＨ2基は、カルボニル基によって交換されており、かつアルケニレン架橋及びアルカジエニレン架橋である場合には、１つ以上の二重結合によって互いに結合された炭素原子は、ベンゾ縮合されていてよい６員の芳香族環もしくは複素芳香族環の構成要素であってよく、
Ａｒ1は、互いに無関係に、５員もしくは６員の芳香族環もしくは複素芳香族環を意味し、前記の環は、一ベンゾ縮合もしくは二ベンゾ縮合されていてよく、かつ１もしくは複数のハロゲン、ＮＯ2、ＮＯ、ＣＮ、ＣＨＯ、Ｒ1、Ｘ1−ＣＯ−Ｒ1、Ｘ1−ＳＯ2−Ｒ1、Ｘ1−Ｒ1'、ＣＯ−Ｘ1−Ｒ1'又はＳＯ2−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−、−ＣＯ−ＮＲ′−、−ＮＲ′−ＣＯ−、−Ｏ−ＣＯ−Ｏ−又は
【化１３】
2008538858.tif 000014
を意味し、その際、最後の基は、アスタリスクで特徴付けられた両方の位置を介してＡｒ1もしくはＡｒ2の２個の隣接する炭素原子に結合されており、かつ窒素原子を介してＡｒ2もしくはＡｒ1に結合されており、
Ｒ1は、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、その際、Ｃ1〜Ｃ20−あるいはＣ2〜Ｃ20−炭素鎖において１もしくは複数の隣接していないＣＨ2基は、酸素原子、−Ｎ（Ｃ1〜Ｃ20−アルキル）基及び／又はカルボニル基によって交換されていてよく、かつＣ6〜Ｃ10−アリールもヘテロアリールも、１もしくは複数のハロゲン、ＮＯ2、ＮＯ、ＣＮ、ＣＨＯ、Ｒ、Ｘ−ＣＯ−Ｒ、Ｘ−ＳＯ2−Ｒ、Ｘ−Ｒ′、ＣＯ−Ｘ−Ｒ′もしくはＳＯ2−Ｘ−Ｒ′で置換されていてよく、
Ｒ1'は、水素を意味するか、又はＲ1とは無関係に、Ｒ1と同じ意味を有し、
Ｒは、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′がＮ（Ｒ1'）2基もしくはＮ（Ｒ′）2基に相当する場合について、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、その架橋において場合により１もしくは２個の隣接していないＣＨ2基はカルボニル基によって交換され、かつアルケニレン架橋及びアルカジエニレン架橋の場合には、１つ以上の二重結合によって互いに結合された炭素原子は、ベンゾ縮合されていてよい６員の芳香族環もしくは複素芳香族環の構成要素であってよいが、但し、
基Ｚ1、Ｚ2及びＺ3中で炭素原子に結合された水素原子は部分的にもしくは完全にフッ素原子によって交換されていてよい］に相当する。
【００４７】
可変記号Ｚ1、Ｚ2及びＺ3あるいはＺ及びＺ′あるいはＷの定義に関して、適切には、既に可変記号Ｒ1'及びＲ2'あるいはＲ及びＲ′あるいはＸ1、Ｘ2及びＸについて示した定義及び例示した基が指摘される；その他の可変記号Ａｒ1、Ｒ1、Ｒ1'、Ｒ、Ｒ′、Ｘ1及びＸ及びそれらの好ましい態様に関しては、同様に既に前記の定義及び例示した基が指摘される。
【００４８】
化合物の特に適した一群は、一般式１に相当し、その際、環Ａ1及びＡ2が互いに無関係に、付加的になおもそれぞれ１もしくは２個のＣ1〜Ｃ4−アルキルもしくはＣ1〜Ｃ4−アルコキシで置換されていてよく、かつ可変記号が以下の意味を有し、
Ｙは、化学的な単結合、Ｃ2〜Ｃ4−アルキレン、ＳＯ2又はＣＺ2Ｚ3を意味し、
Ｙ′は、化学的な単結合又は酸素を意味し、
ｐは、０又は１の値を意味し、
Ｚ2、Ｚ3は、互いに無関係に、Ｃ1〜Ｃ10−アルキル又はＣ6〜Ｃ10−アリールを意味し、その際、Ｃ6〜Ｃ10−アリールは、１もしくは複数のハロゲン、特にフッ素、Ｚ、ＣＯ−ＺもしくはＯ−Ｚ′で置換されていてよく、かつ基ＣＺ2Ｚ3においては、両方の基Ｚ2及びＺ3は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記の架橋において、１もしくは２個の隣接していないＣＨ2基は、酸素原子及び／又はカルボニル基によって交換され、かつアルケニレン架橋及びアルカジエニレン架橋の場合には、１つ以上の二重結合によって互いに結合された炭素原子は、ベンゾ縮合されていてよい６員の芳香族環もしくは複素芳香族環の構成要素であってよく、
Ｚは、Ｃ1〜Ｃ10−アルキル又はＣ6〜Ｃ10−アリールであり、
Ｚ′は、水素を意味するか、又はＺとは無関係に、Ｚと同じ意味を有し、
Ａｒ1は、互いに無関係に、５員もしくは６員の芳香族環もしくは複素芳香族環を意味し、前記環は、１もしくは複数のハロゲン、特にフッ素、Ｒ1、Ｘ1−ＣＯ−Ｒ1、Ｘ1−Ｒ1'もしくはＣＯ−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−又は−Ｏ−ＣＯ−Ｏ−を意味し、
Ｒ1は、互いに無関係に、Ｃ1〜Ｃ10−アルキル、Ｃ2〜Ｃ10−アルケニル、Ｃ6〜Ｃ10−アリール、Ｃ6〜Ｃ10−アリール−Ｃ1〜Ｃ10−アルキル又はＣ6〜Ｃ10−アリール−Ｃ2〜Ｃ10−アルケニルを意味し、その際、Ｃ1〜Ｃ10−もしくはＣ2〜Ｃ10−炭素鎖においては、１もしくは複数の隣接していないＣＨ2基は、酸素原子、Ｎ（Ｃ1〜Ｃ10−アルキル）基及び／又はカルボニル基によって交換されていてよく、かつＣ6〜Ｃ10−アリールは、１もしくは複数のハロゲン、Ｒ、Ｘ−ＣＯ−Ｒ、Ｘ−Ｒ′もしくはＣＯ−Ｘ−Ｒ′で置換されていてよく、
Ｒ1'は、水素を意味するか、又はＲ1とは無関係に、Ｒ1と同じ意味を有し、
Ｒは、Ｃ1〜Ｃ10−アルキル又はＣ6〜Ｃ10−アリールを意味し、
Ｒ′は、水素を意味するか、又はＲとは無関係に、Ｒと同じ意味を有し、かつ
Ｘ1、Ｘは、互いに無関係に、酸素又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合には、１つ以上の二重結合によって互いに結合された炭素原子は、ベンゾ縮合されていてよい６員の芳香族環もしくは複素芳香族環の構成要素であってよいが、但し、
基Ｚ1、Ｚ2及びＺ3中で炭素に結合された水素原子は、部分的にもしくは完全にフッ素原子によって交換されていてよい。
【００４９】
式１の化合物の上述の特に適した群において関心が持たれるのは、式中、Ａ1及びＡ2が、互いに無関係に、付加的になおもそれぞれ１もしくは２個のＣ1〜Ｃ4−アルキルもしくはＣ1〜Ｃ4−アルコキシで置換されていてよく、かつ可変記号が以下の意味を有し、
Ｙは、ＣＺ2Ｚ3を意味し、
ｐは、０の値を意味し、
Ｚ2、Ｚ3は、互いに無関係に、Ｃ1〜Ｃ10−アルキル又はＣ6〜Ｃ10−アリールを意味し、その際、Ｃ1〜Ｃ10−アルキルは、１もしくは複数のフッ素で置換されていてよく、かつＣ6〜Ｃ10−アリールは、１もしくは複数のフッ素、Ｃ1〜Ｃ10−アルキルもしくはＣ1〜Ｃ10−アルコキシで置換されていてよく、かつ基ＣＺ2Ｚ3においては、両方の基Ｚ2及びＺ3は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において１もしくは２個の隣接していないＣＨ2基は、酸素原子及び／又はカルボニル基によって交換され、かつアルケニレン架橋及びアルカジエニレン架橋の場合には、１つ以上の二重結合によって互いに結合された炭素原子は、ベンゾ縮合されていてよい６員の芳香族環もしくは複素芳香族環の構成要素であってよく、かつ
その他の可変記号は、前記の式１の化合物の特に適した群で示した意味を有する、化合物である。
【００５０】
係る化合物の例は、
【化１４】
2008538858.tif 000015
【００５１】
【化１５】
2008538858.tif 000016
【００５２】
【化１６】
2008538858.tif 000017
【００５３】
【化１７】
2008538858.tif 000018
【００５４】
【化１８】
2008538858.tif 000019
である。
【００５５】
式１の化合物の上述の特に適した群において関心が持たれるのは、更に、式中、Ａ1及びＡ2が、互いに無関係に、付加的になおもそれぞれ１もしくは２個のＣ1〜Ｃ4−アルキルもしくはＣ1〜Ｃ4−アルコキシで置換されていてよく、かつ可変記号が以下の意味を有し、
Ｙは、ＣＺ2Ｚ3を意味し、
Ｙ′は、化学的な単結合又は酸素を意味し、
ｐは、１の値を意味し、
Ｚ2、Ｚ3は、互いに無関係に、Ｃ1〜Ｃ10−アルキル又はＣ6〜Ｃ10−アリールを意味し、その際、Ｃ1〜Ｃ10−アルキルは、１もしくは複数のフッ素で置換されていてよく、かつＣ6〜Ｃ10−アリールは、１もしくは複数のフッ素、Ｃ1〜Ｃ10−アルキルもしくはＣ1〜Ｃ10−アルコキシで置換されていてよく、かつ基ＣＺ2Ｚ3においては、両方の基Ｚ2及びＺ3は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において１もしくは２個の隣接していないＣＨ2基は、酸素原子及び／又はカルボニル基によって交換され、かつアルケニレン架橋及びアルカジエニレン架橋の場合には、１つ以上の二重結合によって互いに結合された炭素原子は、ベンゾ縮合されていてよい６員の芳香族環もしくは複素芳香族環の構成要素であってよく、かつ
その他の可変記号は、前記の式１の化合物の特に適した群で示した意味を有する、化合物である。
【００５６】
係る化合物のための例は：
【化１９】
2008538858.tif 000020
である。
【００５７】
上述の式１の化合物の特に適した群において関心が持たれるのは、更に、式中、環Ａ1及びＡ2が、互いに無関係に、付加的になおもそれぞれ１もしくは２個のＣ1〜Ｃ4−アルキルもしくはＣ1〜Ｃ4−アルコキシで置換されていてよく、かつ可変記号が以下の意味を有し、
Ｙは、化学的な単結合、Ｃ2〜Ｃ4−アルキレン、特にエチレン又はＳＯ2を意味し、かつ
その他の可変記号は、前記の式１の化合物の特に適した群で示した意味を有する、化合物である。
【００５８】
係る化合物の例は、
【化２０】
2008538858.tif 000021
である。
【００５９】
２価の有機基Ａｒ2を有する更に適した化合物の一群は、一般式２
【化２１】
2008538858.tif 000022
［式中、環Ａ1及びＡ2は、互いに無関係に、付加的になおもそれぞれ１もしくは２個のＣ1〜Ｃ4−アルキルもしくはＣ1〜Ｃ4−アルコキシで置換されていてよく、かつ可変記号は、以下の意味を有し、
Ｙは、２〜１２個の炭素原子を有する２価のＣ6〜Ｃ10−アリールもしくは２価のヘテロアリールを意味し、その際、Ｃ6〜Ｃ10−アリールもヘテロアリールも、１もしくは複数のハロゲン、ＮＯ2、ＮＯ、ＣＮ、ＣＨＯ、Ｚ、ＣＯ−Ｚ、Ｗ−ＳＯ2−Ｚ、Ｗ−Ｚ′又はＳＯ2−Ｗ−Ｚ′で置換されていてよく、
Ｚは、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、
Ｚ′は、水素を意味するか、又はＺとは無関係に、Ｚと同じ意味を有し、
Ｗは、酸素、硫黄又はＮＺ′を意味し、その際、Ｗ−Ｚ′が、Ｎ（Ｚ′）2基に相当する場合については、両方の基Ｚ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合には、１つ以上の二重結合によって互いに結合された炭素原子は、ベンゾ縮合されていてよい６員の芳香族環もしくは複素芳香族環の構成要素であってよく、
Ａｒ1は、互いに無関係に、５員もしくは６員の芳香族環もしくは複素芳香族環を意味し、前記環は、一ベンゾ縮合もしくは二ベンゾ縮合されていてよく、かつ１もしくは複数のハロゲン、ＮＯ2、ＮＯ、ＣＮ、ＣＨＯ、Ｒ1、Ｘ1−ＣＯ−Ｒ1、Ｘ1−ＳＯ2−Ｒ1、Ｘ1−Ｒ1'、ＣＯ−Ｘ1−Ｒ1'又はＳＯ2−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−、−ＣＯ−ＮＲ′−、−ＮＲ′−ＣＯ−、−Ｏ−ＣＯ−Ｏ−又は
【化２２】
2008538858.tif 000023
を意味し、その際、最後の基は、アスタリスクで特徴付けられた両方の位置を介してＡｒ1もしくはＡｒ2の２個の隣接する炭素原子に結合されており、かつ窒素原子を介してＡｒ2もしくはＡｒ1に結合されており、
Ｒ1は、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、その際、Ｃ1〜Ｃ20−もしくはＣ2〜Ｃ20−炭素鎖において、１もしくは複数の隣接していないＣＨ2基は、酸素、Ｎ（Ｃ1〜Ｃ20−アルキル）基及び／又はカルボニル基によって交換されていてよく、かつＣ6〜Ｃ10−アリールもヘテロアリールも、１もしくは複数のハロゲン、ＮＯ2、ＮＯ、ＣＮ、ＣＨＯ、Ｒ、Ｘ−ＣＯ−Ｒ、Ｘ−ＳＯ2−Ｒ、Ｘ−Ｒ′、ＣＯ−Ｘ−Ｒ′又はＳＯ2−Ｘ−Ｒ′で置換されていてよく、
Ｒ1'は、水素を意味するか、又はＲ1とは無関係に、Ｒ1と同じ意味を有し、
Ｒは、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合には、１つ以上の二重結合によって互いに結合された炭素原子は、ベンゾ縮合されていてよい６員の芳香族環もしくは複素芳香族環の構成要素であってよい］に相当する。
【００６０】
可変記号Ｚ及びＺ′あるいはＷの定義に関して、適切には、既に可変記号Ｒ及びＲ′あるいはＸ1、Ｘ2及びＸについて示した定義及び例示した基が指摘される；その他の可変記号Ａｒ1、Ｒ1、Ｒ1'、Ｒ、Ｒ′、Ｘ1及びＸ並びにそれらの好ましい態様に関しては、同様に既に前記の定義及び例示した基が指摘される。
【００６１】
特に適した化合物の一群は、一般式２で示され、その式中、環Ａ1及びＡ2が、互いに無関係に、付加的になおもそれぞれ１もしくは２個のＣ1〜Ｃ4−アルキルもしくはＣ1〜Ｃ4−アルコキシで置換されていてよく、かつ可変記号が以下の意味を有し、
Ｙは、２価のフェニル又は２〜５個の炭素原子を有する２価のヘテロアリールを意味し、その際、フェニルは、１もしくは複数のフッ素、ＣＮ、Ｚ、−ＣＯ−ＺもしくはＷ−Ｚ′で置換されていてよく、
Ｚは、Ｃ1〜Ｃ10−アルキル又はフェニルを意味し、
Ｚ′は、水素を意味するか、又はＺとは無関係に、Ｚと同じ意味を有し、
Ｗは、酸素、硫黄又はＮＺ′を意味し、その際、Ｗ−Ｚ′が、Ｎ（Ｚ′）2基に相当する場合については、両方の基Ｚ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよく、
Ａｒ1は、互いに無関係に、５員もしくは６員の芳香族環もしくは複素芳香族環を意味し、前記環は、１もしくは複数のフッ素、Ｒ1、Ｘ1−ＣＯ−Ｒ1、Ｘ1−Ｒ1'もしくはＣＯ−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−又は−Ｏ−ＣＯ−Ｏ−を意味し、
Ｒ1は、Ｃ1〜Ｃ10−アルキル又はフェニルを意味し、その際、フェニルは、１もしくは複数のフッ素、Ｒ、Ｘ−ＣＯ−Ｒ、Ｘ−Ｒ′もしくはＣＯ−Ｘ−Ｒ′で置換されていてよく、
Ｒ1'は、水素を意味するか、又はＲ1とは無関係に、Ｒ1と同じ意味を有し、
Ｒは、Ｃ1〜Ｃ10−アルキル又はフェニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよい、化合物に相当する。
【００６２】
２価のＣ6〜Ｃ10−アリールとしては、１，４−フェニレン及び２，６−ナフチル、特に１，４−フェニレンが該当する。
【００６３】
２〜１２個の炭素原子を有する２価のヘテロアリールとしては、例えばピロール、フラン、チオフェン、ピラゾール、イソキサゾール、イソチアゾール、イミダゾール、１Ｈ−１，２，３−トリアゾール、１Ｈ−１，２，４−トリアゾール、ピリジン、ピラジン、ピリダジン、１Ｈ−アゼピン、２Ｈ−アゼピン、オキサゾール、チアゾール、１，２，３−、１，２，４−もしくは１，３，４−オキサジアゾール、１，２，３−、１，２，４−もしくは１，３，４−チアジアゾール並びに、場合によりベンゾ縮合されたもしくはジベンゾ縮合された環、例えばキノリン、イソキノリン、インドール、ベンゾ［ｂ］フラン（クマロン）、ベンゾ［ｂ］チオフェン（チオナフテン）、カルバゾール、ジベンゾフラン、ジベンゾチオフェン、１Ｈ−インダゾール、インドキサゾール、ベンゾ［ｄ］イソチアゾール、アントラニル、ベンゾイミダゾール、ベンゾオキサゾール、ベンゾチアゾール、シンノリン、フタラジン、キナゾリン、キノキサリン又はフェナジンから導き出される基が該当する。
【００６４】
２〜５個の炭素原子を有する２価のヘテロアリールとしては、特に例えばピロール、フラン、チオフェン、ピラゾール、イソキサゾール、イソチアゾール、イミダゾール、１Ｈ−１，２，３−トリアゾール、１Ｈ−１，２，４−トリアゾール、ピリジン、ピラジン、ピリダジン、１Ｈ−アゼピン、２Ｈ−アゼピン、オキサゾール、チアゾール、１，２，３−、１，２，４−もしくは１，３，４−オキサジアゾール、１，２，３−、１，２，４−もしくは１，３，４−チアジアゾールから導き出される基が該当する。
【００６５】
係る化合物のための例は：
【化２３】
2008538858.tif 000024
【００６６】
【化２４】
2008538858.tif 000025
【００６７】
【化２５】
2008538858.tif 000026
である。
【００６８】
２価の有機基Ａｒ2を有する化合物の更なる好適な一群は、一般式３
【化２６】
2008538858.tif 000027
［式中、環Ａ1及びＡ2は、互いに無関係に、付加的になおもそれぞれ１もしくは２個のＣ1〜Ｃ4−アルキルもしくはＣ1〜Ｃ4−アルコキシで置換されていてよく、
【化２７】
2008538858.tif 000028
は、それぞれ互いに無関係に、１もしくは２個のＣ1〜Ｃ4−アルキル基で置換されていてよいＣ2〜Ｃ3−アルキレン架橋もしくはＣ2〜Ｃ3−アルケニレン架橋を表し、前記架橋において、Ｃ2〜Ｃ3−アルキレン架橋もしくはＣ3−アルケニレン架橋の場合に、場合によりＣＨ2基は、酸素又はカルボニル基によって交換され、かつ／又はＣ2〜Ｃ3−アルケニレン架橋の場合に、二重結合によって互いに結合された炭素原子は、ベンゾ縮合されていてよい６員の芳香族環もしくは複素芳香族環の構成要素であってよく、かつその他の可変記号は、以下の意味を有し、
Ａｒ1は、互いに無関係に、５員もしくは６員の芳香族環もしくは複素芳香族環を意味し、前記環は、一ベンゾ縮合もしくは二ベンゾ縮合されていてよく、かつ１もしくは複数のハロゲン、ＮＯ2、ＮＯ、ＣＮ、ＣＨＯ、Ｒ1、Ｘ1−ＣＯ−Ｒ1、Ｘ1−ＳＯ2−Ｒ1、Ｘ1−Ｒ1'、ＣＯ−Ｘ1−Ｒ1'もしくはＳＯ2−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−、−ＣＯ−ＮＲ′−、−ＮＲ′−ＣＯ−、−Ｏ−ＣＯ−Ｏ−又は
【化２８】
2008538858.tif 000029
を意味し、その際、最後の基は、アスタリスクで特徴付けられた両方の位置を介してＡｒ1もしくはＡｒ2の２個の隣接する炭素原子に結合されており、かつ窒素原子を介してＡｒ2もしくはＡｒ1に結合されており、
Ｒ1は、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、その際、Ｃ1〜Ｃ20−もしくはＣ2〜Ｃ20−炭素鎖において、１もしくは複数の隣接していないＣＨ2基は、酸素原子、Ｎ（Ｃ1〜Ｃ20−アルキル）基及び／又はカルボニル基によって交換されていてよく、かつＣ6〜Ｃ10−アリールもヘテロアリールも、１もしくは複数のハロゲン、ＮＯ2、ＮＯ、ＣＮ、ＣＨＯ、Ｒ、Ｘ−ＣＯ−Ｒ、Ｘ−ＳＯ2−Ｒ、Ｘ−Ｒ′、ＣＯ−Ｘ−Ｒ′又はＳＯ2−Ｘ−Ｒ′で置換されていてよく、
Ｒ1'は、水素を意味するか、又はＲ1とは無関係に、Ｒ1と同じ意味を有し、
Ｒは、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合には、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよい］に相当する。
【００６９】
可変記号Ａｒ1、Ｒ1、Ｒ1'、Ｒ、Ｒ′、Ｘ1及びＸの定義及びそれらの好ましい態様に関しては、既に上述した定義並びに例示した基が指摘される。
【００７０】
特に適した化合物の一群は、一般式３に相当し、その際、環Ａ1及びＡ2が、互いに無関係に、付加的になおもそれぞれ１もしくは２個のＣ1〜Ｃ4−アルキルもしくはＣ1〜Ｃ4−アルコキシで置換されていてよく、
【化２９】
2008538858.tif 000030
は、１もしくは２個のＣ1〜Ｃ4−アルキル基で置換されていてよい同一のＣ2〜Ｃ3−アルキレン架橋もしくはＣ2〜Ｃ3−アルケニレン架橋を表し、前記架橋において、場合によりＣＨ2基は、酸素又はカルボニル基によって交換され、かつ／又はＣ2〜Ｃ3−アルケニレン架橋の場合に、二重結合によって互いに結合された炭素原子は、６員の芳香族環もしくは複素芳香族環の構成要素であってよく、かつその他の可変記号は、以下の意味を有し、
Ａｒ1は、互いに無関係に、５員もしくは６員の芳香族環もしくは複素芳香族環を意味し、前記環は、１もしくは複数のフッ素、Ｒ1、Ｘ1−ＣＯ−Ｒ1、Ｘ1−Ｒ1'又はＣＯ−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−又は−Ｏ−ＣＯ−Ｏ−を意味し、
Ｒ1は、Ｃ1〜Ｃ10−アルキル又はフェニルを意味し、その際、フェニルは、１もしくは複数のフッ素、Ｒ、Ｘ−ＣＯ−Ｒ、Ｘ−Ｒ′又はＣＯ−Ｘ−Ｒ′で置換されていてよく、
Ｒ1'は、水素を意味するか、又はＲ1とは無関係に、Ｒ1と同じ意味を有し、
Ｒは、Ｃ1〜Ｃ10−アルキル又はフェニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよい。
【００７１】
係る化合物のための例は：
【化３０】
2008538858.tif 000031
【００７２】
【化３１】
2008538858.tif 000032
【００７３】
【化３２】
2008538858.tif 000033
である。
【００７４】
３価の有機基Ａｒ2を有する化合物の好適な一群は、一般式４
【化３３】
2008538858.tif 000034
［式中、環Ａ1、Ａ2及びＡ3は、互いに無関係に、付加的になおもそれぞれ１もしくは２個のＣ1〜Ｃ4−アルキルもしくはＣ1〜Ｃ4−アルコキシで置換されていてよく、かつその他の可変記号は、以下の意味を有し、
Ｚ1は、水素、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、その際、Ｃ1〜Ｃ20−もしくはＣ2〜Ｃ20−炭素鎖において、１もしくは複数の隣接していないＣＨ2基は、酸素原子、Ｎ（Ｃ1〜Ｃ20−アルキル）基及び／又はカルボニル基によって交換されていてよく、かつＣ6〜Ｃ10−アリールもヘテロアリールも、１もしくは複数のハロゲン、ＮＯ2、ＮＯ、ＣＮ、ＣＨＯ、Ｚ、ＣＯ−Ｚ、Ｗ−ＳＯ2−Ｚ、Ｗ−Ｚ′又はＳＯ2−Ｗ−Ｚ′で置換されていてよく、
Ｚは、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、
Ｚ′は、水素を意味するか、又はＺとは無関係に、Ｚと同じ意味を有し、
Ｗは、酸素、硫黄又はＮＺ′を意味し、その際、Ｗ−Ｚ′が、Ｎ（Ｚ′）2基に相当する場合については、両方の基Ｚ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよく、
Ａｒ1は、互いに無関係に、５員もしくは６員の芳香族環もしくは複素芳香族環を意味し、前記環は、一ベンゾ縮合もしくは二ベンゾ縮合されていてよく、かつ１もしくは複数のハロゲン、ＮＯ2、ＮＯ、ＣＮ、ＣＨＯ、Ｒ1、Ｘ1−ＣＯ−Ｒ1、Ｘ1−ＳＯ2−Ｒ1、Ｘ1−Ｒ1'、ＣＯ−Ｘ1−Ｒ1'又はＳＯ2−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−、−ＣＯ−ＮＲ′−、−ＮＲ′−ＣＯ−、−Ｏ−ＣＯ−Ｏ−又は
【化３４】
2008538858.tif 000035
を意味し、その際、最後の基は、アスタリスクで特徴付けられた両方の位置を介してＡｒ1もしくはＡｒ2の２個の隣接する炭素原子に結合されており、かつ窒素原子を介してＡｒ2もしくはＡｒ1に結合されており、
Ｒ1は、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、その際、Ｃ1〜Ｃ20−もしくはＣ2〜Ｃ20−炭素鎖において、１もしくは複数の隣接していないＣＨ2基は、酸素原子、Ｎ（Ｃ1〜Ｃ20−アルキル）基及び／又はカルボニル基によって交換されていてよく、かつＣ6〜Ｃ10−アリールもヘテロアリールも１もしくは複数のハロゲン、ＮＯ2、ＮＯ、ＣＮ、ＣＨＯ、Ｒ、Ｘ−ＣＯ−Ｒ、Ｘ−ＳＯ2−Ｒ、Ｘ−Ｒ′、ＣＯ−Ｘ−Ｒ′又はＳＯ2−Ｘ−Ｒ′で置換されていてよく、
Ｒ1'は、水素を意味するか、又はＲ1とは無関係に、Ｒ1と同じ意味を有し、
Ｒは、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよい］に相当する。
【００７５】
可変記号Ａｒ1、Ｒ1、Ｒ1'、Ｒ、Ｒ′、Ｘ1及びＸの定義及びそれらの好ましい態様に関しては、既に上述した定義並びに例示した基が指摘される。
【００７６】
特に適した化合物の一群は、一般式４に相当し、その際、環Ａ1、Ａ2及びＡ3は、互いに無関係に、付加的になおもそれぞれ１もしくは２個のＣ1〜Ｃ4−アルキルもしくはＣ1〜Ｃ4−アルコキシで置換されていてよく、かつその他の置換基は、以下の意味を有し、
Ｚ1は、水素又はＣ1〜Ｃ10−アルキルを意味し、その際、Ｃ1〜Ｃ10−炭素鎖において、１もしくは複数の隣接していないＣＨ2基は、酸素原子、Ｎ（Ｃ1〜Ｃ10−アルキル）基及び／又はカルボニル基によって交換されていてよく、
Ａｒ1は、互いに無関係に、５員もしくは６員の芳香族環もしくは複素芳香族環を意味し、前記環は、一ベンゾ縮合もしくは二ベンゾ縮合されていてよく、かつ１もしくは複数のハロゲン、ＣＮ、Ｒ1、Ｘ1−ＣＯ−Ｒ1、Ｘ1−Ｒ1'又はＣＯ−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−又は−Ｏ−ＣＯ−Ｏ−を意味し、
Ｒ1は、Ｃ1〜Ｃ10−アルキル、Ｃ6〜Ｃ10−アリール、２〜５個の炭素原子を有するヘテロアリール、Ｃ6〜Ｃ10−アリール−Ｃ1〜Ｃ10−アルキル、Ｃ6〜Ｃ10−アリール−Ｃ2〜Ｃ10−アルケニル、それぞれ２〜５個の炭素原子をヘテロアリール基中に有するヘテロアリール−Ｃ1〜Ｃ10−アルキルもしくはヘテロアリール−Ｃ2〜Ｃ10−アルケニルを意味し、その際、Ｃ1〜Ｃ10−もしくはＣ2〜Ｃ10−炭素鎖において、１もしくは複数の隣接していないＣＨ2基は、酸素原子、Ｎ（Ｃ1〜Ｃ10−アルキル）基及び／又はカルボニル基によって交換されていてよく、かつＣ6〜Ｃ10−アリールもヘテロアリールも、１もしくは複数のハロゲン、ＣＮ、Ｒ、Ｘ−ＣＯ−Ｒ、Ｘ−Ｒ′又はＣＯ−Ｘ−Ｒ′で置換されていてよく、
Ｒ1'は、水素を意味するか、又はＲ1とは無関係に、Ｒ1と同じ意味を有し、
Ｒは、Ｃ1〜Ｃ10−アルキル、Ｃ6〜Ｃ10−アリール、２〜５個の炭素原子を有するヘテロアリール、Ｃ6〜Ｃ10−アリール−Ｃ1〜Ｃ10−アルキル、Ｃ6〜Ｃ10−アリール−Ｃ2〜Ｃ10−アルケニル、それぞれ２〜５個の炭素原子をヘテロアリール基中に有するヘテロアリール−Ｃ1〜Ｃ10−アルキルもしくはヘテロアリール−Ｃ2〜Ｃ10−アルケニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基で交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよい。
【００７７】
係る化合物のための例は：
【化３５】
2008538858.tif 000036
である。
【００７８】
３価の有機基Ａｒ2を有する化合物の更に適した一群は、一般式５
【化３６】
2008538858.tif 000037
［式中、環Ａ1は、付加的になおもそれぞれ１〜３個のＣ1〜Ｃ4−アルキルもしくはＣ1〜Ｃ4−アルコキシで置換されていてよく、かつその他の可変記号は、以下の意味を有し、
Ａｒ1は、互いに無関係に、５員もしくは６員の芳香族環もしくは複素芳香族環を意味し、前記環は、一ベンゾ縮合もしくは二ベンゾ縮合されていてよく、かつ１もしくは複数のハロゲン、ＮＯ2、ＮＯ、ＣＮ、ＣＨＯ、Ｒ1、Ｘ1−ＣＯ−Ｒ1、Ｘ1−ＳＯ2−Ｒ1、Ｘ1−Ｒ1'、ＣＯ−Ｘ1−Ｒ1'又はＳＯ2−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−、−ＣＯ−ＮＲ′−、−ＮＲ′−ＣＯ−、−Ｏ−ＣＯ−Ｏ−又は
【化３７】
2008538858.tif 000038
を意味し、その際、最後の基は、アスタリスクで特徴付けられた両方の位置を介してＡｒ1もしくはＡｒ2の２個の隣接する炭素原子に結合されており、かつ窒素原子を介してＡｒ2もしくはＡｒ1に結合されており、
Ｒ1は、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、その際、Ｃ1〜Ｃ20−もしくはＣ2〜Ｃ20−炭素鎖において、１もしくは複数の隣接していないＣＨ2基は、酸素原子、Ｎ（Ｃ1〜Ｃ20−アルキル）基及び／又はカルボニル基によって交換されていてよく、かつＣ6〜Ｃ10−アリールもヘテロアリールも、１もしくは複数のハロゲン、ＮＯ2、ＮＯ、ＣＮ、ＣＨＯ、Ｒ、Ｘ−ＣＯ−Ｒ、Ｘ−ＳＯ2−Ｒ、Ｘ−Ｒ′、ＣＯ−Ｘ−Ｒ′又はＳＯ2−Ｘ−Ｒ′で置換されていてよく、
Ｒ1'は、水素を意味するか、又はＲ1とは無関係に、Ｒ1と同じ意味を有し、
Ｒは、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよい］に相当する。
【００７９】
可変記号Ａｒ1、Ｒ1、Ｒ1'、Ｒ、Ｒ′、Ｘ1及びＸの定義及びそれらの好ましい態様に関しては、既に上述した定義並びに例示した基が指摘される。
【００８０】
基
【化３８】
2008538858.tif 000039
であって、アスタリスクで特徴付けられた両方の位置を介してＡｒ2の２個の隣接する炭素原子に結合されており、かつ窒素原子を介してＡｒ1に結合されている基の場合については、３個の相応の基Ａｒ1−Ｅの他に、芳香族環Ａ1に更なる置換基が存在しない。
【００８１】
特に適した化合物の一群は、一般式５に相当し、その際、環Ａ1は、更に、３個の基Ａｒ1−Ｅで置換されておらず、かつその他の可変記号は、以下の意味を有し、
Ａｒ1は、互いに無関係に、５員もしくは６員の芳香族環もしくは複素芳香族環を意味し、前記環は、一ベンゾ縮合もしくは二ベンゾ縮合されていてよく、かつ１もしくは複数のハロゲン、ＣＮ、Ｒ1、Ｘ1−ＣＯ−Ｒ1、Ｘ1−Ｒ1'又はＣＯ−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−又は−Ｏ−ＣＯ−Ｏ−を意味し、
Ｒ1は、Ｃ1〜Ｃ10−アルキル、Ｃ6〜Ｃ10−アリール、２〜５個のヘテロアリール、Ｃ6〜Ｃ10−アリール−Ｃ1〜Ｃ10−アルキル、Ｃ6〜Ｃ10−アリール−Ｃ2〜Ｃ10−アルケニル、それぞれ２〜５個の炭素原子をヘテロアリール基中に有するヘテロアリール−Ｃ1〜Ｃ10−アルキルもしくはヘテロアリール−Ｃ2〜Ｃ10−アルケニルを意味し、その際、Ｃ1〜Ｃ10−もしくはＣ2〜Ｃ10−炭素鎖において、１もしくは複数の隣接していないＣＨ2基は、酸素原子、Ｎ（Ｃ1〜Ｃ10−アルキル）基及び／又はカルボニル基によって交換されていてよく、かつＣ6〜Ｃ10−アリールもヘテロアリールも、１もしくは複数のハロゲン、ＣＮ、Ｒ、Ｘ−ＣＯ−Ｒ、Ｘ−Ｒ′又はＣＯ−Ｘ−Ｒ′で置換されていてよく、
Ｒ1'は、水素を意味するか、又はＲ1とは無関係に、Ｒ1と同じ意味を有し、
Ｒは、Ｃ1〜Ｃ10−アルキル、Ｃ6〜Ｃ10−アリール、２〜５個の炭素原子を有するヘテロアリール、Ｃ6〜Ｃ10−アリール−Ｃ1〜Ｃ10−アルキル、Ｃ6〜Ｃ10−アリール−Ｃ2〜Ｃ10−アルケニル、それぞれ２〜５個の炭素原子をヘテロアリール基中に有するヘテロアリール−Ｃ1〜Ｃ10−アルキルもしくはヘテロアリール−Ｃ2〜Ｃ10−アルケニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよい。
【００８２】
係る化合物のための例は：
【化３９】
2008538858.tif 000040
である。
【００８３】
４価の有機基Ａｒ2を有する化合物の好適な一群は、一般式６
【化４０】
2008538858.tif 000041
［式中、環Ａ1及びＡ2は、互いに無関係に、付加的になおもそれぞれ１もしくは２個のＣ1〜Ｃ4−アルキルもしくはＣ1〜Ｃ4−アルコキシで置換されていてよく、かつ可変記号は、以下の意味を有し、
Ｙは、化学的な単結合、Ｃ2〜Ｃ10−アルキレン、酸素、硫黄、ＳＯ、ＳＯ2、ＮＺ1、−Ｃ（Ｚ2）＝Ｃ（Ｚ3）−又はＣＺ2Ｚ3を意味し、
Ｚ1、Ｚ2、Ｚ3は、互いに無関係に、水素、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、その際、Ｃ1〜Ｃ20−もしくはＣ2〜Ｃ20−炭素鎖において、１もしくは複数の隣接していないＣＨ2基は、酸素原子、Ｎ（Ｃ1〜Ｃ20−アルキル）基及び／又はカルボニル基によって交換されていてよく、かつＣ6〜Ｃ10−アリールもヘテロアリールも、１もしくは複数のハロゲン、ＮＯ2、ＮＯ、ＣＮ、ＣＨＯ、Ｚ、ＣＯ−Ｚ、Ｗ−ＳＯ2−Ｚ、Ｗ−Ｚ′又はＳＯ2−Ｗ−Ｚ′で置換されていてよく、その際、基−Ｃ（Ｚ2）＝Ｃ（Ｚ3）−もしくはＣＺ2Ｚ3において、両方の基Ｚ2及びＺ3は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、酸素原子及び／又はカルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよく、
Ｚは、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、
Ｚ′は、水素を意味するか、又はＺとは無関係に、Ｚと同じ意味を有し、
Ｗは、酸素、硫黄又はＮＺ′を意味し、その際、Ｗ−Ｚ′が、Ｎ（Ｚ′）2基に相当する場合については、両方の基Ｚ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよく、
Ａｒ1は、互いに無関係に、５員もしくは６員の芳香族環もしくは複素芳香族環を意味し、前記環は、一ベンゾ縮合もしくは二ベンゾ縮合されていてよく、かつ１もしくは複数のハロゲン、ＮＯ2、ＮＯ、ＣＮ、ＣＨＯ、Ｒ1、Ｘ1−ＣＯ−Ｒ1、Ｘ1−ＳＯ2−Ｒ1、Ｘ1−Ｒ1'、ＣＯ−Ｘ1−Ｒ1'又はＳＯ2−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−、−ＣＯ−ＮＲ′−、−ＮＲ′−ＣＯ−又は−Ｏ−ＣＯ−Ｏ−を意味し、
Ｒ1は、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、その際、Ｃ1〜Ｃ20−もしくはＣ2〜Ｃ20−炭素鎖において、１もしくは複数の隣接していないＣＨ2基は、酸素原子、Ｎ（Ｃ1〜Ｃ20−アルキル）基及び／又はカルボニル基によって交換されていてよく、かつＣ6〜Ｃ10−アリールもヘテロアリールも、１もしくは複数のハロゲン、ＮＯ2、ＮＯ、ＣＮ、ＣＨＯ、Ｒ、Ｘ−ＣＯ−Ｒ、Ｘ−ＳＯ2−Ｒ、Ｘ−Ｒ′、ＣＯ−Ｘ−Ｒ′又はＳＯ2−Ｘ−Ｒ′で置換されていてよく、
Ｒ1'は、水素を意味するか、又はＲ1とは無関係に、Ｒ1と同じ意味を有し、
Ｒは、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよいが、但し、
基Ｚ1、Ｚ2及びＺ3中で炭素原子に結合された水素原子は、部分的にもしくは完全にフッ素原子によって交換されていてよい］に相当する。
【００８４】
可変記号Ｚ1、Ｚ2及びＺ3あるいはＺ及びＺ′あるいはＷの定義に関して、適切には、既に可変記号Ｒ1'及びＲ2'あるいはＲ及びＲ′あるいはＸ1、Ｘ2及びＸについて示した定義及び例示した基が指摘される；その他の可変記号Ａｒ1、Ｒ1、Ｒ1'、Ｒ、Ｒ′、Ｘ1及びＸ及びそれらの好ましい態様に関しては、同様に既に前記に例示した基が指摘される。
【００８５】
特に適した化合物の一群は、一般式６に相当し、その際、環Ａ1及びＡ2は、互いに無関係に、それぞれ１もしくは２個のＣ1〜Ｃ4−アルキルもしくはＣ1〜Ｃ4−アルコキシで置換されていてよく、かつ可変記号は、以下の意味を有し、
Ｙは、化学的な単結合、Ｃ2〜Ｃ4−アルキレン、ＳＯ2又はＣＺ2Ｚ3を意味し、
Ｚ2、Ｚ3は、互いに無関係に、Ｃ1〜Ｃ10−アルキル又はＣ6〜Ｃ10−アリールを意味し、その際、Ｃ6〜Ｃ10−アリールは、１もしくは複数のハロゲン、特にフッ素、Ｚ、ＣＯ−ＺもしくはＯ−Ｚ′で置換されていてよく、かつ基ＣＺ2Ｚ3において、両方の基Ｚ2及びＺ3は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、１もしくは２個の隣接していないＣＨ2基は、酸素原子及び／又はカルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよく、
Ｚは、Ｃ1〜Ｃ10−アルキル又はＣ6〜Ｃ10−アリールであり、
Ｚ′は、水素を意味するか、又はＺとは無関係に、Ｚと同じ意味を有し、
Ａｒ1は、互いに無関係に、５員もしくは６員の芳香族環もしくは複素芳香族環を意味し、前記環は、１もしくは複数のハロゲン、特にフッ素、Ｒ1、Ｘ1−ＣＯ−Ｒ1、Ｘ1−Ｒ1'又はＣＯ−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−又は−Ｏ−ＣＯ−Ｏ−を意味し、
Ｒ1は、互いに無関係に、Ｃ1〜Ｃ10−アルキル、Ｃ2〜Ｃ10−アルケニル、Ｃ6〜Ｃ10−アリール、Ｃ6〜Ｃ10−アリール−Ｃ1〜Ｃ10−アルキル又はＣ6〜Ｃ10−アリール−Ｃ2〜Ｃ10−アルケニルを意味し、その際、Ｃ1〜Ｃ10−もしくはＣ2〜Ｃ10−炭素鎖において、１もしくは複数の隣接していないＣＨ2基は、酸素原子、Ｎ（Ｃ1〜Ｃ10−アルキル）基及び／又はカルボニル基によって交換されていてよく、かつＣ6〜Ｃ10−アリールは、１もしくは複数のハロゲン、Ｒ、Ｘ−ＣＯ−Ｒ、Ｘ−Ｒ′又はＣＯ−Ｘ−Ｒ′で置換されていてよく、
Ｒ1'は、水素を意味するか、又はＲ1とは無関係に、Ｒ1と同じ意味を有し、
Ｒは、Ｃ1〜Ｃ10−アルキル又はＣ6〜Ｃ10−アリールを意味し、
Ｒ′は、水素を意味するか、又はＲとは無関係に、Ｒと同じ意味を有し、かつ
Ｘ1、Ｘは、互いに無関係に、酸素又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていて６員の芳香族環もしくは複素芳香族環の構成要素であってよいが、但し、
基Ｚ1、Ｚ2及びＺ3中で炭素に結合された水素原子は、部分的にもしくは完全にフッ素原子によって交換されていてよい。
【００８６】
上述の式６の化合物の特に適した群において関心が持たれるのは、式中、環Ａ1及びＡ2が、互いに無関係に、付加的になおもそれぞれ１もしくは２個のＣ1〜Ｃ4−アルキルもしくはＣ1〜Ｃ4−アルコキシで置換されていてよく、かつ可変記号が以下の意味を有し、
Ｙは、ＣＺ2Ｚ3を意味し、
Ｚ2、Ｚ3は、互いに無関係に、Ｃ1〜Ｃ10−アルキル又はＣ6〜Ｃ10−アリールを意味し、その際、Ｃ1〜Ｃ10−アルキルは、１もしくは複数のフッ素で置換されていてよく、かつＣ6〜Ｃ10−アリールは、１もしくは複数のフッ素、Ｃ1〜Ｃ10−アルキルもしくはＣ1〜Ｃ10−アルコキシで置換されていてよく、かつ基ＣＺ2Ｚ3において、両方の基Ｚ2及びＺ3は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、１もしくは２個の隣接していないＣＨ2基は、酸素原子及び／又はカルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよく、かつ
その他の可変記号は、上述の特に適した式６の化合物の群で示した意味を有する、化合物である。
【００８７】
係る化合物の例は、
【化４１】
2008538858.tif 000042
【００８８】
【化４２】
2008538858.tif 000043
【００８９】
【化４３】
2008538858.tif 000044
【００９０】
【化４４】
2008538858.tif 000045
【００９１】
【化４５】
2008538858.tif 000046
である。
【００９２】
上述の式６の化合物の特に適した群において関心が持たれるのは、更に、式中、環Ａ1及びＡ2が、互いに無関係に、付加的になおもそれぞれ１もしくは２個のＣ1〜Ｃ4−アルキルもしくはＣ1〜Ｃ4−アルコキシで置換されていてよく、かつ可変記号が以下の意味を有し、
Ｙは、化学的な単結合、Ｃ2〜Ｃ4−アルキレン、特にエチレン又はＳＯ2を意味し、かつ
その他の可変記号は、前記の式６の化合物の特に適した群で示した意味を有する、化合物である。
【００９３】
係る化合物の例は、
【化４６】
2008538858.tif 000047
【００９４】
【化４７】
2008538858.tif 000048
である。
【００９５】
４価の有機基Ａｒ2を有する更に適した化合物の一群は、一般式７
【化４８】
2008538858.tif 000049
［式中、環Ａ1及びＡ2は、互いに無関係に、付加的になおもそれぞれ１もしくは２個のＣ1〜Ｃ4−アルキルもしくはＣ1〜Ｃ4−アルコキシで置換されていてよく、
【化４９】
2008538858.tif 000050
は、それぞれ互いに無関係に、１もしくは２個のＣ1〜Ｃ4−アルキル基で置換されていてよいＣ2〜Ｃ3−アルキレン架橋もしくはＣ2〜Ｃ3−アルケニレン架橋を表し、前記架橋において、場合によりＣＨ2基は、酸素もしくはカルボニル基によって交換され、かつ／又はＣ2〜Ｃ3−アルケニレン架橋の場合に、二重結合によって互いに結合された炭素原子は、ベンゾ縮合されていてよい６員の芳香族環もしくは複素芳香族環の構成要素であってよく、かつその他の可変記号は、以下の意味を有し、
Ａｒ1は、互いに無関係に、５員もしくは６員の芳香族環もしくは複素芳香族環を意味し、前記環は、一ベンゾ縮合もしくは二ベンゾ縮合されていてよく、かつ１もしくは複数のハロゲン、ＮＯ2、ＮＯ、ＣＮ、ＣＨＯ、Ｒ1、Ｘ1−ＣＯ−Ｒ1、Ｘ1−ＳＯ2−Ｒ1、Ｘ1−Ｒ1'、ＣＯ−Ｘ1−Ｒ1'又はＳＯ2−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−、−ＣＯ−ＮＲ′−、−ＮＲ′−ＣＯ−又は−Ｏ−ＣＯ−Ｏ−を意味し、
Ｒ1は、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、その際、Ｃ1〜Ｃ20−もしくはＣ2〜Ｃ20−炭素鎖において、１もしくは複数の隣接していないＣＨ2基は、酸素原子、Ｎ（Ｃ1〜Ｃ20−アルキル）基及び／又はカルボニル基によって交換されていてよく、かつＣ6〜Ｃ10−アリールもヘテロアリールも、１もしくは複数のハロゲン、ＮＯ2、ＮＯ、ＣＮ、ＣＨＯ、Ｒ、Ｘ−ＣＯ−Ｒ、Ｘ−ＳＯ2−Ｒ、Ｘ−Ｒ′、ＣＯ−Ｘ−Ｒ′又はＳＯ2−Ｘ−Ｒ′で置換されていてよく、
Ｒ1'は、水素を意味するか、又はＲ1とは無関係に、Ｒ1と同じ意味を有し、
Ｒは、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよい］に相当する。
【００９６】
可変記号Ａｒ1、Ｒ1、Ｒ1'、Ｒ、Ｒ′、Ｘ1及びＸの定義及びそれらの好ましい態様に関しては、既に上述した定義並びに例示した基が指摘される。
【００９７】
特に適した化合物の一群は、一般式７に相当し、その際、環Ａ1及びＡ2は、互いに無関係に、付加的になおもそれぞれ１もしくは２個のＣ1〜Ｃ4−アルキルもしくはＣ1〜Ｃ4−アルコキシで置換されていてよく、
【化５０】
2008538858.tif 000051
は、１もしくは２個のＣ1〜Ｃ4−アルキル基で置換されていてよい同一のＣ2〜Ｃ3−アルキレン架橋もしくはＣ2〜Ｃ3−アルケニレン架橋を表し、前記架橋において、場合によりＣＨ2基は、酸素又はカルボニル基によって交換され、かつ／又はＣ2〜Ｃ3−アルケニレン架橋の場合に、二重結合によって互いに結合された炭素原子は、６員の芳香族環もしくは複素芳香族環の構成要素であってよく、かつその他の可変記号は、以下の意味を有し、
Ａｒ1は、互いに無関係に、５員もしくは６員の芳香族環もしくは複素芳香族環を意味し、前記環は、１もしくは複数のフッ素、Ｒ1、Ｘ1−ＣＯ−Ｒ1、Ｘ1−Ｒ1'又はＣＯ−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−又は−Ｏ−ＣＯ−Ｏ−を意味し、
Ｒ1は、Ｃ1〜Ｃ10−アルキル、フェニル又はフェニル−Ｃ1〜Ｃ10−アルキルを意味し、その際、フェニルは、１もしくは複数のフッ素、Ｒ、Ｘ−ＣＯ−Ｒ、Ｘ−Ｒ′又はＣＯ−Ｘ−Ｒ′で置換されていてよく、
Ｒ1'は、水素を意味するか、又はＲ1とは無関係に、Ｒ1と同じ意味を有し、
Ｒは、Ｃ1〜Ｃ10−アルキル又はフェニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよい。
【００９８】
係る化合物のための例は：
【化５１】
2008538858.tif 000052
【００９９】
【化５２】
2008538858.tif 000053
【０１００】
【化５３】
2008538858.tif 000054
【０１０１】
【化５４】
2008538858.tif 000055
である。
【０１０２】
４価の有機基Ａｒ2を有する更なる好適な化合物の一群は、一般式８
【化５５】
2008538858.tif 000056
［式中、環Ａ3及びＡ4は、互いに無関係に、付加的になおもそれぞれ１もしくは２個のＣ1〜Ｃ4−アルキルもしくはＣ1〜Ｃ4−アルコキシで置換されていてよく、かつ基Ａｒ1−Ｅの他の環Ａ1、Ａ1'、Ａ2及びＡ2'は、互いに無関係に、なおもそれぞれ１もしくは２個のＣ1〜Ｃ4−アルキルもしくはＣ1〜Ｃ4−アルコキシで置換されていてよく、かつその他の可変記号は、以下の意味を有し、
Ａｒ1は、互いに無関係に、５員もしくは６員の芳香族環もしくは複素芳香族環を意味し、前記環は、一ベンゾ縮合もしくは二ベンゾ縮合されていてよく、かつ１もしくは複数のハロゲン、ＮＯ2、ＮＯ、ＣＮ、ＣＨＯ、Ｒ1、Ｘ1−ＣＯ−Ｒ1、Ｘ1−ＳＯ2−Ｒ1、Ｘ1−Ｒ1'、ＣＯ−Ｘ1−Ｒ1'又はＳＯ2−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−、−ＣＯ−ＮＲ′−、−ＮＲ′−ＣＯ−又は−Ｏ−ＣＯ−Ｏ−を意味し、
Ｒ1は、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、その際、Ｃ1〜Ｃ20−もしくはＣ2〜Ｃ20−炭素鎖において、１もしくは複数の隣接していないＣＨ2基は、酸素原子、Ｎ（Ｃ1〜Ｃ20−アルキル）基及び／又はカルボニル基によって交換されていてよく、かつＣ6〜Ｃ10−アリールもヘテロアリールも、１もしくは複数のハロゲン、ＮＯ2、ＮＯ、ＣＮ、ＣＨＯ、Ｒ、Ｘ−ＣＯ−Ｒ、Ｘ−ＳＯ2−Ｒ、Ｘ−Ｒ′、ＣＯ−Ｘ−Ｒ′又はＳＯ2−Ｘ−Ｒ′で置換されていてよく、
Ｒ1'は、水素を意味するか、又はＲ1とは無関係に、Ｒ1と同じ意味を有し、
Ｒは、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよい］に相当する。
【０１０３】
可変記号Ａｒ1、Ｒ1、Ｒ1'、Ｒ、Ｒ′、Ｘ1及びＸの定義及びそれらの好ましい態様に関しては、既に上述した定義並びに例示した基が指摘される。
【０１０４】
特に適した化合物の一群は、一般式８に相当し、その際、環Ａ3、Ａ4、Ａ1、Ａ1'、Ａ2及びＡ2'は、互いに無関係に、付加的になおもそれぞれ１もしくは２個のＣ1〜Ｃ4−アルキルもしくはＣ1〜Ｃ4−アルコキシで置換されていてよく、かつその他の可変記号は、以下の意味を有し、
Ａｒ1は、互いに無関係に、５員もしくは６員の芳香族環もしくは複素芳香族環を意味し、前記環は、１もしくは複数のフッ素、Ｒ1、Ｘ1−ＣＯ−Ｒ1、Ｘ1−Ｒ1'又はＣＯ−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−又は−Ｏ−ＣＯ−Ｏ−を意味し、
Ｒ1は、Ｃ1〜Ｃ10−アルキル、フェニル又はフェニル−Ｃ1〜Ｃ10−アルキルを意味し、その際、フェニルは、１もしくは複数のフッ素、Ｒ、Ｘ−ＣＯ−Ｒ、Ｘ−Ｒ′又はＣＯ−Ｘ−Ｒ′で置換されていてよく、
Ｒ1'は、水素を意味するか、又はＲ1とは無関係に、Ｒ1と同じ意味を有し、
Ｒは、Ｃ1〜Ｃ10−アルキル又はフェニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよい。
【０１０５】
係る化合物のための例は：
【化５６】
2008538858.tif 000057
【０１０６】
【化５７】
2008538858.tif 000058
【０１０７】
４価の有機基Ａｒ2を有する化合物の更に適した一群は、一般式９
【化５８】
2008538858.tif 000059
である。
［式中、環Ａ1及びＡ2は、互いに無関係に、付加的になおもそれぞれＣ1〜Ｃ4−アルキルもしくはＣ1〜Ｃ4−アルコキシで置換されていてよく、かつその他の可変記号は、以下の意味を有し、
Ａｒ1は、互いに無関係に、５員もしくは６員の芳香族環もしくは複素芳香族環を意味し、前記環は、一ベンゾ縮合もしくは二ベンゾ縮合されていてよく、かつ１もしくは複数のハロゲン、ＮＯ2、ＮＯ、ＣＮ、ＣＨＯ、Ｒ1、Ｘ1−ＣＯ−Ｒ1、Ｘ1−ＳＯ2−Ｒ1、Ｘ1−Ｒ1'、ＣＯ−Ｘ1−Ｒ1'又はＳＯ2−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−、−ＣＯ−ＮＲ′−、−ＮＲ′−ＣＯ−又は−Ｏ−ＣＯ−Ｏ−を意味し、
Ｒ1は、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、その際、Ｃ1〜Ｃ20−もしくはＣ2〜Ｃ20−炭素鎖において、１もしくは複数の隣接していないＣＨ2は、酸素原子、Ｎ（Ｃ1〜Ｃ20−アルキル）基及び／又はカルボニル基によって交換されていてよく、かつＣ6〜Ｃ10−アリールもヘテロアリールも、１もしくは複数のハロゲン、ＮＯ2、ＮＯ、ＣＮ、ＣＨＯ、Ｒ、Ｘ−ＣＯ−Ｒ、Ｘ−ＳＯ2−Ｒ、Ｘ−Ｒ′、ＣＯ−Ｘ−Ｒ′−又はＳＯ2−Ｘ−Ｒ′で置換されていてよく、
Ｒ1'は、水素を意味するか、又はＲ1とは無関係に、Ｒ1と同じ意味を有し、
Ｒは、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよい］に相当する。
【０１０８】
可変記号Ａｒ1、Ｒ1、Ｒ1'、Ｒ、Ｒ′、Ｘ1及びＸの定義及びそれらの好ましい態様に関しては、既に上述した定義並びに例示した基が指摘される。
【０１０９】
特に適した化合物の一群は、一般式９に相当し、その際、基Ａｒ1−Ｅの他の環Ａ1及びＡ2は、更なる置換基を有さず、かつその他の可変記号は、以下の意味を有し、
Ａｒ1は、互いに無関係に、５員もしくは６員の芳香族環もしくは複素芳香族環を意味し、前記環は、１もしくは複数のフッ素、Ｒ1、Ｘ1−ＣＯ−Ｒ1、Ｘ1−Ｒ1'又はＣＯ−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−又は−Ｏ−ＣＯ−Ｏ−を意味し、
Ｒ1は、Ｃ1〜Ｃ10−アルキル、フェニル又はフェニル−Ｃ1〜Ｃ10−アルキルを意味し、その際、フェニルは、１もしくは複数のフッ素、Ｒ、Ｘ−ＣＯ−Ｒ、Ｘ−Ｒ′又はＣＯ−Ｘ−Ｒ′で置換されていてよく、
Ｒ1'は、水素を意味するか、又はＲ1とは無関係に、Ｒ1と同じ意味を有し、
Ｒは、Ｃ1〜Ｃ10−アルキル又はフェニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよい。
【０１１０】
係る化合物のための例は：
【化５９】
2008538858.tif 000060
【０１１１】
【化６０】
2008538858.tif 000061
である。
【０１１２】
６価の有機基Ａｒ2を有する更に適した化合物の一群は、一般式１０
【化６１】
2008538858.tif 000062
［式中、環Ａ1及びＡ2は、互いに無関係に、付加的になおもそれぞれＣ1〜Ｃ4−アルキルもしくはＣ1〜Ｃ4−アルコキシで置換されていてよく、
【化６２】
2008538858.tif 000063
は、それぞれ互いに無関係に、１もしくは２個のＣ1〜Ｃ4−アルキル基で置換されていてよいＣ2〜Ｃ3−アルキレン架橋もしくはＣ2〜Ｃ3−アルケニレン架橋を表し、前記架橋において、場合によりＣＨ2基は、酸素もしくはカルボニル基によって交換され、かつ／又はＣ2〜Ｃ3−アルケニレン架橋の場合に、二重結合によって互いに結合された炭素原子は、ベンゾ縮合されていてよい６員の芳香族環もしくは複素芳香族環の構成要素であってよく、かつその他の可変記号は、以下の意味を有し、
Ａｒ1は、互いに無関係に、５員もしくは６員の芳香族環もしくは複素芳香族環を意味し、前記環は、一ベンゾ縮合もしくは二ベンゾ縮合されていてよく、かつ１もしくは複数のハロゲン、ＮＯ2、ＮＯ、ＣＮ、ＣＨＯ、Ｒ1、Ｘ1−ＣＯ−Ｒ1、Ｘ1−ＳＯ2−Ｒ1、Ｘ1−Ｒ1'、ＣＯ−Ｘ1−Ｒ1'又はＳＯ2−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−、−ＣＯ−ＮＲ′−、−ＮＲ′−ＣＯ−又は−Ｏ−ＣＯ−Ｏ−を意味し、
Ｒ1は、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、その際、Ｃ1〜Ｃ20−もしくはＣ2〜Ｃ20−炭素鎖において、１もしくは複数の隣接していないＣＨ2基は、酸素原子、Ｎ（Ｃ1〜Ｃ20−アルキル）基及び／又はカルボニル基によって交換されていてよく、かつＣ6〜Ｃ10−アリールもヘテロアリールも、１もしくは複数のハロゲン、ＮＯ2、ＮＯ、ＣＮ、ＣＨＯ、Ｒ、Ｘ−ＣＯ−Ｒ、Ｘ−ＳＯ2−Ｒ、Ｘ−Ｒ′、ＣＯ−Ｘ−Ｒ′又はＳＯ2−Ｘ−Ｒ′で置換されていてよく、
Ｒ1'は、水素を意味するか、又はＲ1とは無関係に、Ｒ1と同じ意味を有し、
Ｒは、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよい］に相当する。
【０１１３】
可変記号Ａｒ1、Ｒ1、Ｒ1'、Ｒ、Ｒ′、Ｘ1及びＸの定義及びそれらの好ましい態様に関しては、既に上述した定義並びに例示した基が指摘される。
【０１１４】
特に適した化合物の一群は、一般式１０に相当し、その際、基Ａｒ1−Ｅの他の環Ａ1及びＡ2は、互いに無関係に、付加的になおもそれぞれＣ1〜Ｃ4−アルキルもしくはＣ1〜Ｃ4−アルコキシで置換されていてよく、
【化６３】
2008538858.tif 000064
は、１もしくは２個のＣ1〜Ｃ4−アルキル基で置換されていてよい同一のＣ2〜Ｃ3−アルキレン架橋もしくはＣ2〜Ｃ3−アルケニレン架橋を表し、前記架橋において、場合によりＣＨ2基は、酸素又はカルボニル基によって交換され、かつ／又はＣ2〜Ｃ3−アルケニレン架橋の場合に、二重結合によって互いに結合された炭素原子は、６員の芳香族環もしくは複素芳香族環の構成要素であってよく、かつその他の可変記号は、以下の意味を有し、
Ａｒ1は、互いに無関係に、５員もしくは６員の芳香族環もしくは複素芳香族環を意味し、前記環は、１もしくは複数のフッ素、Ｒ1、Ｘ1−ＣＯ−Ｒ1、Ｘ1−Ｒ1'又はＣＯ−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−又は−Ｏ−ＣＯ−Ｏ−を意味し、
Ｒ1は、Ｃ1〜Ｃ10−アルキル、フェニル又はフェニル−Ｃ1〜Ｃ10−アルキルを意味し、その際、フェニルは、１もしくは複数のフッ素、Ｒ、Ｘ−ＣＯ−Ｒ、Ｘ−Ｒ′又はＣＯ−Ｘ−Ｒ′で置換されていてよく、
Ｒ1'は、水素を意味するか、又はＲ1とは無関係に、Ｒ1と同じ意味を有し、
Ｒは、Ｃ1〜Ｃ10−アルキル又はフェニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよい。
【０１１５】
係る化合物のための例は：
【化６４】
2008538858.tif 000065
【０１１６】
【化６５】
2008538858.tif 000066
【０１１７】
【化６６】
2008538858.tif 000067
【０１１８】
【化６７】
2008538858.tif 000068
である。
【０１１９】
６価の有機基Ａｒ2を有する化合物の更なる適した一群は、一般式１１
【化６８】
2008538858.tif 000069
［式中、環Ａ1、Ａ1'、Ａ2、Ａ2'、Ａ3及びＡ3'は、互いに無関係に、付加的になおもそれぞれ１もしくは２個のＣ1〜Ｃ4−アルキルもしくはＣ1〜Ｃ4−アルコキシで置換されていてよく、かつその他の可変記号は、以下の意味を有し、
Ａｒ1は、互いに無関係に、５員もしくは６員の芳香族環もしくは複素芳香族環を意味し、前記環は、一ベンゾ縮合もしくは二ベンゾ縮合されていてよく、かつ１もしくは複数のハロゲン、ＮＯ2、ＮＯ、ＣＮ、ＣＨＯ、Ｒ1、Ｘ1−ＣＯ−Ｒ1、Ｘ1−ＳＯ2−Ｒ1、Ｘ1−Ｒ1'、ＣＯ−Ｘ1−Ｒ1'又はＳＯ2−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−、−ＣＯ−ＮＲ′−、−ＮＲ′−ＣＯ−又は−Ｏ−ＣＯ−Ｏ−を意味し、
Ｅ′は、互いに無関係に、化学的な単結合、酸素、硫黄、ＮＲ′又はＣ1〜Ｃ20−アルキルを意味し、その際、Ｃ1〜Ｃ20−炭素鎖において、１もしくは複数の隣接していないＣＨ2基は、酸素原子、Ｎ（Ｃ1〜Ｃ20−アルキル）基及び／又はカルボニル基によって交換されていてよく、
Ｒ1は、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、その際、Ｃ1〜Ｃ20−もしくはＣ2〜Ｃ20−炭素鎖において、１もしくは複数の隣接していないＣＨ2基は、酸素、Ｎ（Ｃ1〜Ｃ20−アルキル）基及び／又はカルボニル基によって交換されていてよく、かつＣ6〜Ｃ10−アリールもヘテロアリールも、１もしくは複数のハロゲン、ＮＯ2、ＮＯ、ＣＮ、ＣＨＯ、Ｒ、Ｘ−ＣＯ−Ｒ、Ｘ−ＳＯ2−Ｒ、Ｘ−Ｒ′、ＣＯ−Ｘ−Ｒ′又はＳＯ2−Ｘ−Ｒ′で置換されていてよく、
Ｒ1'は、水素を意味するか、又はＲ1とは無関係に、Ｒ1と同じ意味を有し、
Ｒは、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよい］に相当する。
【０１２０】
可変記号Ａｒ1、Ｒ1、Ｒ1'、Ｒ、Ｒ′、Ｘ1及びＸの定義及びそれらの好ましい態様に関しては、既に上述した定義並びに例示した基が指摘される。
【０１２１】
特に適した化合物の一群は、一般式１１に相当し、その際、環Ａ1、Ａ1'、Ａ2、Ａ2'、Ａ3及びＡ3'は、互いに無関係に、付加的になおもそれぞれ１もしくは２個のＣ1〜Ｃ4−アルキルもしくはＣ1〜Ｃ4−アルコキシで置換されていてよく、かつその他の可変記号は、以下の意味を有し、
Ａｒ1は、互いに無関係に、５員もしくは６員の芳香族環もしくは複素芳香族環を意味し、前記環は、一ベンゾ縮合もしくは二ベンゾ縮合されていてよく、かつ１もしくは複数のハロゲン、ＣＮ、Ｒ1、Ｘ1−ＣＯ−Ｒ1、Ｘ1−Ｒ1'又はＣＯ−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−又は−Ｏ−ＣＯ−Ｏ−を意味し、
Ｅ′は、互いに無関係に、化学的な単結合、酸素又はＣ1〜Ｃ10−アルキルを意味し、その際、Ｃ1〜Ｃ10−炭素鎖において、１もしくは複数の隣接していないＣＨ2基は、酸素原子、Ｎ（Ｃ1〜Ｃ10−アルキル）基及び／又はカルボニル基によって交換されていてよく、
Ｒ1は、Ｃ1〜Ｃ10−アルキル、Ｃ6〜Ｃ10−アリール、２〜５個の炭素原子を有するヘテロアリール、Ｃ6〜Ｃ10−アリール−Ｃ1〜Ｃ10−アルキル、Ｃ6〜Ｃ10−アリール−Ｃ2〜Ｃ10−アルケニル、それぞれ２〜５個の炭素原子をヘテロアリール基中に有するヘテロアリール−Ｃ1〜Ｃ10−アルキルもしくはヘテロアリール−Ｃ2〜Ｃ10−アルケニルを意味し、その際、Ｃ1〜Ｃ10−もしくはＣ2〜Ｃ10−炭素鎖において、１もしくは複数の隣接していないＣＨ2基は、酸素原子、Ｎ（Ｃ1〜Ｃ10−アルキル）基及び／又はカルボニル基によって交換されていてよく、かつＣ6〜Ｃ10−アリールもヘテロアリールも、１もしくは複数のハロゲン、ＣＮ、Ｒ、Ｘ−ＣＯ−Ｒ、Ｘ−Ｒ′又はＣＯ−Ｘ−Ｒ′で置換されていてよく、
Ｒ1'は、水素を意味するか、又はＲ1とは無関係に、Ｒ1と同じ意味を有し、
Ｒは、Ｃ1〜Ｃ10−アルキル、Ｃ6〜Ｃ10−アリール、２〜５個の炭素原子を有するヘテロアリール、Ｃ6〜Ｃ10−アリール−Ｃ1〜Ｃ10−アルキル、Ｃ6〜Ｃ10−アリール−Ｃ2〜Ｃ10−アルケニル、それぞれ２〜５個の炭素原子をヘテロアリール基中に有するヘテロアリール−Ｃ1〜Ｃ10−アルキルもしくはヘテロアリール−Ｃ2〜Ｃ10−アルケニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよい。
【０１２２】
係る化合物のための一例は、
【化６９】
2008538858.tif 000070
である。
【０１２３】
６価の有機基Ａｒ2を有する化合物の更に適した一群は、一般式１２
【化７０】
2008538858.tif 000071
［式中、環Ａ1、Ａ2及びＡ3は、互いに無関係に、付加的になおもそれぞれ１もしくは２個のＣ1〜Ｃ4−アルキルもしくはＣ1〜Ｃ4−アルコキシで置換されていてよく、かつその他の可変記号は、以下の意味を有し、
Ａｒ1は、互いに無関係に、５員もしくは６員の芳香族環もしくは複素芳香族環を意味し、前記環は、一ベンゾ縮合もしくは二ベンゾ縮合されていてよく、かつ１もしくは複数のハロゲン、ＮＯ2、ＮＯ、ＣＮ、ＣＨＯ、Ｒ1、Ｘ1−ＣＯ−Ｒ1、Ｘ1−ＳＯ2−Ｒ1、Ｘ1−Ｒ1'、ＣＯ−Ｘ1−Ｒ1'又はＳＯ2−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−、−ＣＯ−ＮＲ′−、−ＮＲ′−ＣＯ−又は−Ｏ−ＣＯ−Ｏ−を意味し、
Ｒ1は、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、その際、Ｃ1〜Ｃ20−もしくはＣ2〜Ｃ20−炭素鎖において、１もしくは複数の隣接していないＣＨ2基は、酸素原子、Ｎ（Ｃ1〜Ｃ20−アルキル）基及び／又はカルボニル基によって交換されていてよく、かつＣ6〜Ｃ10−アリールもヘテロアリールも、１もしくは複数のハロゲン、ＮＯ2、ＮＯ、ＣＮ、ＣＨＯ、Ｒ、Ｘ−ＣＯ−Ｒ、Ｘ−ＳＯ2−Ｒ、Ｘ−Ｒ′、ＣＯ−Ｘ−Ｒ′又はＳＯ2−Ｘ−Ｒ′で置換されていてよく、
Ｒ1'は、水素を意味するか、又はＲ1とは無関係に、Ｒ1と同じ意味を有し、
Ｒは、Ｃ1〜Ｃ20−アルキル、Ｃ2〜Ｃ20−アルケニル、Ｃ6〜Ｃ10−アリール、２〜１２個の炭素原子を有するヘテロアリール、Ｃ6〜Ｃ10−アリール−Ｃ1〜Ｃ20−アルキル、Ｃ6〜Ｃ10−アリール−Ｃ2〜Ｃ20−アルケニル、それぞれ２〜１２個の炭素原子をヘテロアリール基中に有するヘテロアリール−Ｃ1〜Ｃ20−アルキルもしくはヘテロアリール−Ｃ2〜Ｃ20−アルケニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよい］に相当する。
【０１２４】
可変記号Ａｒ1、Ｒ1、Ｒ1'、Ｒ、Ｒ′、Ｘ1及びＸの定義及びそれらの好ましい態様に関しては、既に上述した定義並びに例示した基が指摘される。
【０１２５】
特に適した化合物の一群は、一般式１２に相当し、その際、環Ａ1、Ａ2及びＡ3は、互いに無関係に、付加的になおもそれぞれ１もしくは２個のＣ1〜Ｃ4−アルキルもしくはＣ1〜Ｃ4−アルコキシで置換されていてよく、かつその他の可変記号は、以下の意味を有し、
Ａｒ1は、互いに無関係に、５員もしくは６員の芳香族環もしくは複素芳香族環を意味し、前記環は、一ベンゾ縮合もしくは二ベンゾ縮合されていてよく、かつ１もしくは複数のハロゲン、ＣＮ、Ｒ1、Ｘ1−ＣＯ−Ｒ1、Ｘ1−Ｒ1'又はＣＯ−Ｘ1−Ｒ1'で置換されていてよく、
Ｅは、互いに無関係に、−ＣＯ−Ｏ−、−Ｏ−ＣＯ−、−ＣＯ−Ｓ−、−Ｓ−ＣＯ−又は−Ｏ−ＣＯ−Ｏ−を意味し、
Ｒ1は、Ｃ1〜Ｃ10−アルキル、Ｃ6〜Ｃ10−アリール、２〜５個の炭素原子を有するヘテロアリール、Ｃ6〜Ｃ10−アリール−Ｃ1〜Ｃ10−アルキル、Ｃ6〜Ｃ10−アリール−Ｃ2〜Ｃ10−アルケニル、それぞれ２〜５個の炭素原子をヘテロアリール基中に有するヘテロアリール−Ｃ1〜Ｃ10−アルキルもしくはヘテロアリール−Ｃ2〜Ｃ10−アルケニルを意味し、その際、Ｃ1〜Ｃ10−もしくはＣ2〜Ｃ10−炭素鎖において、１もしくは複数の隣接していないＣＨ2基は、酸素原子、Ｎ（Ｃ1〜Ｃ10−アルキル）基及び／又はカルボニル基によって交換されていてよく、かつＣ6〜Ｃ10−アリールもヘテロアリールも、１もしくは複数のハロゲン、ＣＮ、Ｒ、Ｘ−ＣＯ−Ｒ、Ｘ−Ｒ′又はＣＯ−Ｘ−Ｒ′で置換されていてよく、
Ｒ1'は、水素を意味するか、又はＲ1とは無関係に、Ｒ1と同じ意味を有し、
Ｒは、Ｃ1〜Ｃ10−アルキル、Ｃ6〜Ｃ10−アリール、２〜５個の炭素原子を有するヘテロアリール、Ｃ6〜Ｃ10−アリール−Ｃ1〜Ｃ10−アルキル、Ｃ6〜Ｃ10−アリール−Ｃ2〜Ｃ10−アルケニル、それぞれ２〜５個の炭素原子をヘテロアリール基中に有するヘテロアリール−Ｃ1〜Ｃ10−アルキルもしくはヘテロアリール−Ｃ2〜Ｃ10−アルケニルを意味し、
Ｒ′は、水素を意味するか、又はＲとは無関係に、Ｒと同じ意味を有し、かつ
Ｘ1、Ｘは、互いに無関係に、酸素、硫黄又はＮＲ1'もしくはＮＲ′を意味し、その際、Ｘ1−Ｒ1'もしくはＸ−Ｒ′が、Ｎ（Ｒ1'）2基もしくはＮ（Ｒ′）2基に相当する場合については、両方の基Ｒ1'もしくはＲ′は、一緒になって、Ｃ4〜Ｃ5−アルキレン架橋、Ｃ4〜Ｃ5−アルケニレン架橋もしくはＣ4〜Ｃ5−アルカジエニレン架橋を形成することができ、前記架橋において、場合により１もしくは２個の隣接していないＣＨ2基は、カルボニル基によって交換され、かつアルケニレン架橋及びアルカジエニレン架橋の場合に、１つ以上の二重結合によって互いに結合された炭素原子は、ベンゾ縮合されていてよい６員の芳香族環もしくは複素芳香族環の構成要素であってよい。
【０１２６】
係る化合物のための例は：
【化７１】
2008538858.tif 000072
【０１２７】
【化７２】
2008538858.tif 000073
である。
【０１２８】
本発明の更なる対象は、マトリクス材料としての少なくとも１種の式Ｉの化合物又は好ましい実施形態と、前記材料中に分散された少なくとも１種の発光体としての他の物質とを含有する発光層である。
【０１２９】
特に、本発明による発光層は、マトリクス材料としての少なくとも１種の式１〜１２の化合物の上述の群又は好ましい実施形態と、前記材料中に分散された少なくとも１種の発光体としての他の物質とを含有する。
【０１３０】
本発明の更なる対象は、マトリクス材料としての少なくとも１種の式Ｉの化合物又は好ましい実施形態と、前記材料中に分散された少なくとも１種の発光体としての他の物質とからなる発光層である。
【０１３１】
特に、本発明による発光層は、マトリクス材料としての少なくとも１種の式１〜１２の化合物の上述の群又は好ましい実施形態と、前記材料中に分散された少なくとも１種の発光体としての他の物質とからなる。
【０１３２】
当然のように、本発明によるマトリクス材料は、当業者に公知の別のマトリクス材料との混合物においても使用することができる。式Ｉの化合物のマトリクス材料としての使用は、この場合に、これらの化合物自体が光を発することを排除しないべきである。しかしながら、本発明により使用されるマトリクス材料は、通常では、発光体としてＯＬＥＤ中で使用される化合物の場合に、それ以外で通常のマトリクス材料に対して、それが前者に埋包されているときに輝度及び量子収率の増大を達成することをもたらす。
【０１３３】
多くの発光体化合物は、金属錯体を基礎としており、その際、特に金属のＲｕ、Ｒｈ、Ｉｒ、Ｐｄ及びＰｔの錯体、とりわけＩｒの錯体が重要性を有する。本発明により使用される式Ｉの化合物は、特に係る金属錯体を基礎とする発光体用のマトリクス材料として適している。特に、該化合物は、Ｒｕ、Ｒｈ、Ｉｒ、Ｐｄ及びＰｔの錯体と一緒にマトリクス材料として使用するために、特に有利にはＩｒの錯体と一緒に使用するために適している。
【０１３４】
ＯＬＥＤ中のマトリクス材料として式Ｉの化合物と一緒に使用するために適した金属錯体は、例えば文献ＷＯ０２／６０９１０号Ａ１、ＷＯ０２／６８４５３号Ａ１、ＵＳ２００１／００１５４３２号Ａ１、ＵＳ２００１／００１９７８２号Ａ１、ＵＳ２００２／００５５０１４号Ａ１、ＵＳ２００２／００２４２９３号Ａ１、ＵＳ２００２／００４８６８９号Ａ１、ＥＰ１１９１６１２号Ａ２、ＥＰ１１９１６１３号Ａ２、ＥＰ１２１１２５７号Ａ２、ＵＳ２００２／００９４４５３号Ａ１、ＷＯ０２／０２７１４号Ａ２、ＷＯ００／７０６５５号Ａ２、ＷＯ０１／４１５１２号Ａ１及びＷＯ０２／１５６４５号Ａ１に記載されている。
【０１３５】
ＯＬＥＤ中のマトリクス材料として式Ｉの化合物と一緒に使用するために適した金属錯体は、例えばまたカルベン錯体であり、例えばこれらは刊行物ＷＯ０５／０１９３７３号Ａ２に記載されている。前記の刊行物の開示内容は、参照をもって詳細に記載されたものとし、この開示内容は、本発明の内容において一緒に取り込まれたものと見なすべきである。
【０１３６】
特に、式Ｉの化合物と一緒にＯＬＥＤにおけるマトリクス材料として使用するために適した金属錯体は、刊行物ＷＯ０５／０１９３７３号Ａ２に開示される以下の構造のカルベン配位子（可変記号の指示は、刊行物ＷＯ０５／０１９３７３号Ａ２から借用した；可変記号の正確な定義に関しては、前記刊行物に明確に指摘されている）：
【化７３】
2008538858.tif 000074
式中、
*  は、配位子の金属中心への結合位置を意味し、
ｚ、ｚ′は、同一又は異なって、ＣＨ又はＮを意味し、
Ｒ12、Ｒ12'は、同一又は異なって、アルキル基、アリール基、ヘテロアリール基又はアルケニル基、有利にはアルキル基又はアリール基を意味するか、又はそれぞれ２個の基Ｒ12もしくはＲ12'は、一緒になって縮合環を形成し、前記環は、場合により少なくとも１個のヘテロ原子、有利にはＮを含んでよく、好ましくはそれぞれ２個のＲ12もしくはＲ12'は、一緒になって縮合された芳香族のＣ6環を形成し、その際、前記芳香族環に、有利には６員の芳香族環に、場合により１もしくは複数の更なる芳香族環が縮合されていてよく、その際、その都度考えられる縮合が可能であり、かつ縮合された基は更に置換されていてよく；又はＲ12もしくはＲ12'は、ドナー作用もしくはアクセプター作用を有する基、有利にはハロゲン基、有利にはＦ、Ｃｌ、Ｂｒ、特に有利にはＦ、アルコキシ基、アリールオキシ基、カルボニル基、エステル基、アミノ基、アミド基、ＣＨＦ2、ＣＨ2Ｆ、ＣＦ3、ＣＮ、チオ基及びＳＣＮからなる群から選択される基を意味し、
ｔ及びｔ′は、同一又は異なって、有利には同一で、０〜３を意味し、その際、ｔもしくはｔ′が１より大きい場合に、基Ｒ12もしくはＲ12'は、同一又は異なってよく、好ましくはｔもしくはｔ′は０又は１であり、ｔもしくはｔ′が１である場合に、Ｒ12もしくはＲ12'は、カルベン炭素原子に隣接する窒素原子との結合位置に対してオルト位、メタ位もしくはパラ位で存在し、
Ｒ4、Ｒ5、Ｒ6、Ｒ7、Ｒ8、Ｒ9及びＲ11は、水素、アルキル、アリール、ヘテロアリール、アルケニル又はドナー作用もしくはアクセプター作用を有する置換基、有利にはハロゲン基、有利にはＦ、Ｃｌ、Ｂｒ、特に有利にはＦ、アルコキシ基、アリールオキシ基、カルボニル基、エステル基、アミン基、アミド基、ＣＨ2Ｆ基、ＣＨＦ2基、ＣＦ3基、ＣＮ基、チオ基及びＳＣＮ基から選択される置換基、有利には水素、アルキル、ヘテロアリール又はアリールを意味し、
Ｒ10は、アルキル、アリール、ヘテロアリール又はアルケニル、有利にはアルキル、ヘテロアリール又はアリールを意味するか、又はそれぞれ２個の基Ｒ10は、一緒になって縮合環を形成し、前記環は、場合により少なくとも１個のヘテロ原子、有利には窒素を含んでよく、好ましくはそれぞれ２個のＲ10は、一緒になって縮合された芳香族のＣ6環を形成し、その際、前記芳香族環に、有利には６員の芳香族環に、場合により１もしくは複数の更なる芳香族環が縮合されていてよく、その際、その都度考えられる縮合が可能であり、かつ縮合された基は更に置換されていてよく；又はＲ10は、ドナー作用もしくはアクセプター作用を有する基、有利にはハロゲン基、有利にはＦ、Ｃｌ、Ｂｒ、特に有利にはＦ、アルコキシ基、アリールオキシ基、カルボニル基、エステル基、アミノ基、アミド基、ＣＨＦ2、ＣＨ2Ｆ、ＣＦ3、ＣＮ、チオ基及びＳＣＮからなる群から選択される基を意味し、
ｖは、０〜４、有利には０、１又は２、特に有利には０を意味し、その際、ｖが０である場合には、式ｃ中のアリール基であってＲ10で置換されていてよい基の４個の炭素原子は、水素原子を有する。
【０１３７】
特に、ＯＬＥＤ中でマトリクス材料として式Ｉの化合物と一緒に使用するために適した金属錯体は、以下の、刊行物ＷＯ０５／０１９３７３号Ａ２に開示された構造：
【化７４】
2008538858.tif 000075
［式中の変数は、既に上述した意味を有する］のＩｒ−カルベン錯体を含む。
【０１３８】
ＯＬＥＤ中でマトリクス材料として式Ｉの化合物と一緒に使用するために適した他の金属錯体は、また特に：
【化７５】
2008538858.tif 000076
【０１３９】
【化７６】
2008538858.tif 000077
【０１４０】
【化７７】
2008538858.tif 000078
【０１４１】
【化７８】
2008538858.tif 000079
【０１４２】
【化７９】
2008538858.tif 000080
［式中、Ｍは、Ｒｕ（ＩＩＩ）、Ｒｈ（ＩＩＩ）、Ｉｒ（ＩＩＩ）、Ｐｄ（ＩＩ）又はＰｔ（ＩＩ）を表し、ｎは、Ｒｕ（ＩＩＩ）、Ｒｈ（ＩＩＩ）及びＩｒ（ＩＩＩ）については、３の値を表し、Ｐｄ（ＩＩ）及びＰｔ（ＩＩ）については、２の値をとり、かつＹ2及びＹ3は、水素、メチル、エチル、ｎ−プロピル、イソプロピル又はｔ−ブチルを意味する］が挙げられる。有利には、Ｍは、Ｉｒ（ＩＩＩ）であり、その際、ｎは３である。Ｙ3は、有利にはメチル、エチル、ｎ−プロピル、イソプロピル又はｔ−ブチルを意味する。
【０１４３】
ＯＬＥＤ中でマトリクス材料として式Ｉの化合物と一緒に使用するために適した他の金属錯体は、また特に：
【化８０】
2008538858.tif 000081
［式中、Ｍは、Ｒｕ（ＩＩＩ）、Ｒｈ（ＩＩＩ）、Ｉｒ（ＩＩＩ）、Ｐｄ（ＩＩ）又はＰｔ（ＩＩ）を表し、ｎは、Ｒｕ（ＩＩＩ）、Ｒｈ（ＩＩＩ）及びＩｒ（ＩＩＩ）については、３の値を表し、Ｐｄ（ＩＩ）及びＰｔ（ＩＩ）については、２の値をとり、かつＹ3は、水素、メチル、エチル、ｎ−プロピル、イソプロピル又はｔ−ブチルを意味する］が挙げられる。有利には、Ｍは、Ｉｒ（ＩＩＩ）であり、その際、ｎは３である。Ｙ3は、有利にはメチル、エチル、ｎ−プロピル、イソプロピル又はｔ−ブチルを意味する。
【０１４４】
ＯＬＥＤ中でマトリクス材料として式Ｉの化合物と一緒に使用するために適した他の金属錯体は、また特に：
【化８１】
2008538858.tif 000082
［式中、Ｍは、Ｒｕ（ＩＩＩ）、Ｒｈ（ＩＩＩ）及び特に、Ｉｒ（ＩＩＩ）、Ｐｄ（ＩＩ）又はＰｔ（ＩＩ）を表し、ｎは、Ｒｕ（ＩＩＩ）、Ｒｈ（ＩＩＩ）及びＩｒ（ＩＩＩ）については、３の値を表し、Ｐｄ（ＩＩ）及びＰｔ（ＩＩ）については、２の値をとる］が挙げられる。
【０１４５】
ＯＬＥＤ中でマトリクス材料として式Ｉの化合物と一緒に使用するために適した他の金属錯体は、また特に：
【化８２】
2008538858.tif 000083
【０１４６】
【化８３】
2008538858.tif 000084
［式中、Ｍは、Ｒｕ（ＩＩＩ）、Ｒｈ（ＩＩＩ）及び特に、Ｉｒ（ＩＩＩ）、Ｐｄ（ＩＩ）又はＰｔ（ＩＩ）を表し、ｎは、Ｒｕ（ＩＩＩ）、Ｒｈ（ＩＩＩ）及びＩｒ（ＩＩＩ）については、３の値を表し、Ｐｄ（ＩＩ）及びＰｔ（ＩＩ）については、２の値をとる］が挙げられる。
【０１４７】
更に、種々のカルベン配位子及び／又は配位子Ｌを有する錯体も該当し、その際、後者はモノアニオン性もしくはジアニオン性であり、かつ一座でも二座であってもよい。
【０１４８】
以下の表をもとに、三価の金属中心及び２つの異なるカルベン配位子Ｌ′及びＬ′′を有する錯体ＭＬ′（Ｌ′′）2を図式的に挙げたい
【表１】
2008538858.tif 000085
その際、Ｍは、例えばＲｕ（ＩＩＩ）、Ｒｈ（ＩＩＩ）又はＩｒ（ＩＩＩ）、特にＩｒ（ＩＩＩ）を表し、かつＬ′及びＬ′′は、例えば配位子Ｌ1〜Ｌ7
【化８４】
2008538858.tif 000086
の群から選択される配位子を表し、Ｙ2は、水素、メチル、エチル、ｎ−プロピル、イソプロピル又はｔ−ブチルを表し、かつＹ3は、メチル、エチル、ｎ−プロピル、イソプロピル又はｔ−ブチルを指す。
【０１４９】
種々のカルベン配位子（Ｌ′＝Ｌ4であり、その際、Ｙ2＝水素、かつＹ3＝メチル；Ｌ′′＝Ｌ2であり、その際、Ｙ2＝水素、かつＹ3＝メチル）を有する前記錯体の代表は、例えば：
【化８５】
2008538858.tif 000087
である。
【０１５０】
当然のように、式Ｉのマトリクス材料中で発光体として使用される三価の金属中心（例えばＲｕ（ＩＩＩ）、Ｒｈ（ＩＩＩ）又はＩｒ（ＩＩＩ）の場合に）の錯体において、全ての３つのカルベン配位子は互いに異なってもよい。
【０１５１】
配位子Ｌ（ここではモノアニオン性の二座の配位子）を有する、"傍観者配位子"としての三価の金属中心Ｍの錯体のための例は、ＬＭＬ′Ｌ′′、ＬＭ（Ｌ′）2及びＬ2ＭＬ′であり、その際、Ｍは、例えばＲｕ（ＩＩＩ）、Ｒｈ（ＩＩＩ）又はＩｒ（ＩＩＩ）、特にＩｒ（ＩＩＩ）を表し、かつＬ′及びＬ′′は、上述の意味を有する。錯体ＬＭＬ′Ｌ′′におけるＬ′及びＬ′′の組合せについては、この場合に：
【表２】
2008538858.tif 000088
となる。
【０１５２】
配位子Ｌとしては、とりわけアセチルアセトネート及びそれらの誘導体、ピコリネート、シッフ塩基、アミノ酸並びに、ＷＯ０２／１５６４５号に挙げられる二座のモノアニオン性の配位子が該当し、特にアセチルアセトネート及びピコリネートに関心が持たれる。錯体Ｌ2ＭＬ′の場合には、配位子Ｌは、同一又は異なってよい。
【０１５３】
種々のカルベン配位子（Ｌ′＝Ｌ4で、Ｙ2＝水素で、かつＹ3＝メチル；Ｌ′′＝Ｌ2で、Ｙ2＝水素で、かつＹ3＝メチル）を有する前記錯体の代表は、例えば：
【化８６】
2008538858.tif 000089
［式中、記号
【化８７】
2008538858.tif 000090
中のｚ1及びｚ2は、配位子Ｌの両方の座を表し、Ｙ3は、水素、メチル、エチル、ｎ−プロピル、イソプロピル又はｔ−ブチル、特にメチル、エチル、ｎ−プロピル又はイソプロピルを指す］である。
【０１５４】
有機発光ダイオードは、基本的に複数の層：
例えば
１．アノード
２．正孔輸送層
３．発光層
４．電子輸送層
５．カソード
から構成されている。
【０１５５】
また、上述の構造とは異なる当業者に公知の層順序も可能である。例えば、ＯＬＥＤは、上記の層の全てを有しなくともよく、例えば層（１）（アノード）、（３）（発光層）および（５）（カソード）を有するＯＬＥＤも同様に適しており、その際、層（２）（正孔輸送層）および層（４）（電子輸送層）の機能は、隣接する層によって引き受けられる。層（１）、（２）、（３）及び（５）又は層（１）、（３）、（４）及び（５）を有するＯＬＥＤは、同様に適している。
【０１５６】
好適な置換基の場合に、式Ｉの化合物、特に前記の式１〜１２の化合物群の化合物を電荷輸送性材料として使用できるが、当該化合物は、発光層用途においてマトリクス材料として存在することが好ましい。
【０１５７】
本発明により使用される式Ｉの化合物、特に前記の式１〜１２の化合物群の化合物は、単独でのマトリクス材料として（更なる添加剤を含まず）発光層中に存在してよい。しかしながら同様に、本発明により使用される式Ｉの化合物の他に更なる化合物が発光層中に存在してもよい。例えば、現存の発光体分子の発色を変化させるために、蛍光染料が存在していてよい。更に、希釈材料を使用することができる。この希釈材料は、ポリマーであってよく、例えばポリ（Ｎ−ビニルカルバゾール）又はポリシランであってよい。しかしながらまた、希釈材料は、小分子であってもよく、例えば４，４′−Ｎ，Ｎ′−ジカルバゾールビフェニル（ＣＢＰ＝ＣＤＰ）又は第三級の芳香族アミンであってよい。希釈材料が使用される場合に、本発明により使用される式Ｉの化合物の発光層中での割合は、一般に依然として、式Ｉの化合物と希釈剤の総質量に対して、少なくとも４０質量％、有利には５０〜１００質量％である。
【０１５８】
前記のＯＬＥＤ層の各々は、更に２又はそれ以上の層から構成されていてよい。例えば、正孔輸送層は、電極から正孔が注入される層と、正孔が正孔注入層から発光層へと輸送される層とから構成されていてよい。電子輸送層は、同様に、複数の層からなっていてよく、例えば電子が電極を通じて注入される層と、電子注入層から電子が得られ、そして発光層中に輸送される層とから成ってよい。これらの前記の層は、エネルギー準位、耐熱性及び電荷担体移動度並びに前記の層と有機層又は金属電極とのエネルギー差のような要素に応じてそれぞれ選択される。当業者は、ＯＬＥＤの構造を、本発明により発光体物質として使用される有機化合物に最適に適合されるように選択することができる。
【０１５９】
特に効率的なＯＬＥＤを得るためには、正孔輸送層のＨＯＭＯ（最高占有分子軌道）をアノードの仕事関数に合わせることが望ましく、かつ電子輸送層のＬＵＭＯ（最低非占有分子軌道）をカソードの仕事関数に合わせることが望ましい。
【０１６０】
更に、係る本発明による発光層を含む有機発光ダイオードの特許の保護も請求する。
【０１６１】
本発明の更なる対象は、マトリクス材料としての、少なくとも１種の式Ｉの化合物もしくはそれらの好ましい実施形態、特に前記の式１〜１２の化合物群の化合物と、前記材料中に分散された少なくとも１種の発光体としての更なる物質とを含有するか、又はマトリクス材料としての、１種以上の式Ｉの化合物もしくはそれらの好ましい実施形態、特に前記の式１〜１２の化合物群の化合物と、前記材料中に分散された少なくとも１種の発光体としての更なる物質とからなるＯＬＥＤである。
【０１６２】
アノード（１）は、正の電荷担体を提供する電極である。該電極は、例えば、金属、種々の金属の混合物、金属合金、金属酸化物又は種々の金属酸化物の混合物を含有する材料から構成されてよい。選択的に、アノードは導電性ポリマーであってよい。好適な金属は、元素の周期系の第Ｉｂ族、第ＩＶａ族、第Ｖａ族及び第ＶＩａ族の金属並びに第ＶＩＩＩａ族の遷移金属を含む。アノードが光透過性であることが望ましい場合に、一般に元素の周期系（旧ＩＵＰＡＣ版）の第ＩＩｂ族、第ＩＩＩｂ族及び第ＩＶｂ族の混合金属酸化物、例えばインジウム−スズ酸化物（ＩＴＯ）が使用される。同様に、アノード（１）は、有機材料、例えばポリアニリンを含有することができ、これらは例えばＮａｔｕｒｅ，Ｖｏｌ．３５７，第４７７頁〜第４７９頁（１９９２年６月１１日）に記載されている。少なくともアノード又はカソードのいずれかは、形成された光を出力結合しうるために、少なくとも部分的に透明であることが望ましい。
【０１６３】
本発明によるＯＬＥＤの層（２）のために適した正孔輸送材料は、例えばＫｉｒｋ−Ｏｔｈｍｅｒ Ｅｎｃｙｃｌｏｐｅｄｉａ ｏｆ Ｃｈｅｍｉｃａｌ Ｔｅｃｈｎｏｌｏｇｉｅ，第４版、第１８巻、第８３７〜第８６０頁、１９９６に開示されている。正孔輸送性の分子もポリマーも、正孔輸送材料として使用することができる。通常使用される正孔輸送性分子は、４，４′−ビス［Ｎ−（１−ナフチル）−Ｎ−フェニル−アミノ］ビフェニル（α−ＮＰＤ）、Ｎ，Ｎ′−ジフェニル−Ｎ，Ｎ′−ビス（３−メチルフェニル）−［１，１′−ビフェニル］−４，４′−ジアミン（ＴＰＤ）、１，１−ビス［（ジ−４−トリルアミノ）フェニル］シクロヘキサン（ＴＡＰＣ）、Ｎ，Ｎ′−ビス（４−メチルフェニル）−Ｎ，Ｎ′−ビス（４−エチルフェニル）−［１，１′−（３，３′−ジメチル）ビフェニル］−４，４′−ジアミン（ＥＴＰＤ）、テトラキス−（３−メチルフェニル）−Ｎ，Ｎ，Ｎ′，Ｎ′−２，５−フェニレンジアミン（ＰＤＡ）、α−フェニル−４−Ｎ，Ｎ−ジフェニル−アミノスチレン（ＴＰＳ）、ｐ−（ジエチルアミノ）−ベンゾアルデヒドジフェニルヒドラゾン（ＤＥＨ）、トリフェニルアミン（ＴＰＡ）、ビス［４−（Ｎ，Ｎ−ジエチルアミノ）−２−メチルフェニル）（４−メチル−フェニル）メタン（ＭＰＭＰ）、１−フェニル−３−［ｐ−（ジエチルアミノ）スチリル］−５−［ｐ−（ジエチルアミノ）フェニル］ピラゾリン（ＰＰＲ又はＤＥＡＳＰ）、１，２−トランス−ビス（９Ｈ−カルバゾール−９−イル）シクロブタン（ＤＣＺＢ）、Ｎ，Ｎ，Ｎ′，Ｎ′−テトラキス（４−メチルフェニル）−（１，１′−ビフェニル）−４，４′−ジアミン（ＴＴＢ）、４，４′，４′′−トリス（Ｎ，Ｎ−ジフェニルアミノ）トリフェニルアミン（ＴＤＴＡ）、ポルフィリン化合物及びフタロシアニン、例えば銅フタロシアニンからなる群から選択される。通常使用される正孔輸送性ポリマーは、ポリビニルカルバゾール、（フェニルメチル）ポリシラン及びポリアニリンからなる群から選択される。同様に、正孔輸送性ポリマーは、ポリマー、例えばポリスチレン及びポリカーボネート中に正孔輸送性分子をドープすることによって得ることができる。適当な正孔輸送性分子は、既に前記された分子である。
【０１６４】
本発明によるＯＬＥＤの層（４）に適した電子輸送性材料は、オキシノイド化合物とキレート化された金属、例えばトリス（８−キノリノラト）アルミニウム（Ａｌｑ3）、フェナントロリンを基礎とする化合物、例えば２，９−ジメチル，４，７−ジフェニル−１，１０−フェナントロリン（ＤＤＰＡ＝ＢＣＰ）又は４，７−ジフェニル−１，１０−フェナントロリン（ＤＰＡ）及びアゾール化合物、例えば２−（４−ビフェニリル）−５−（４−ｔ−ブチルフェニル）−１，３，４−オキサジアゾール（ＰＢＤ）及び３−（４−ビフェニリル）−４−フェニル−５−（４−ｔ−ブチルフェニル）−１，２，４−トリアゾール（ＴＡＺ）を含む。この場合に、層（４）は、電子輸送の軽減のため、ならびにＯＬＥＤの層の境界面での励起子の消光を回避するために緩衝層又は障壁として使用することができる。有利には、層（４）は、電子の移動度を改善し、そして励起子の消光を低減させる。
【０１６５】
前記に、正孔輸送性材料及び電子輸送性材料として挙げた材料によって、幾つかの複数の機能を満たすことができる。例えば、電子伝導性材料の幾つかは、該材料が低いところにあるＨＯＭＯを有する場合には、同時に正孔障壁性材料である。
【０１６６】
電荷輸送層は、使用される材料の輸送特性を改善させるために、一方で、層厚を大規模に構成するために（ピン正孔／短絡の回避）、そして他方で、デバイスの駆動電圧を最少化させるために、電子ドーピングされていてもよい。例えば、正孔輸送材料は、電子受容体でドープされていてよく、例えばフタロシアニン又はアリールアミン、例えばＴＰＤ又はＴＤＴＡは、テトラフルオロ−テトラシアノ−キノジメタン（Ｆ４−ＴＣＮＱ）でドープされていてよい。電子輸送材料を、例えばアルカリ金属でドープしてよく、例えばＡｌｑ3をリチウムでドープしてよい。電子ドーピングは、当業者に公知であり、例えばＷ．Ｇａｏ、Ａ．Ｋａｈｎ著のＪ．Ａｐｐｌ．Ｐｈｙｓ．，第９４巻、第１号、２００３年７月１日、ｐ−ドープされた有機層；Ａ．Ｇ．Ｗｅｒｎｅｒ、Ｆ．Ｌｉ、Ｋ．Ｈａｒａｄａ、Ｍ．Ｐｆｅｉｆｆｅｒ、Ｔ．Ｆｒｉｔｚ、Ｋ．Ｌｅｏ著のＡｐｐｌ．Ｐｈｙｓ．Ｌｅｔｔ．，第８２巻、第２５号、２００３年６月２３日及びＰｆｅｉｆｆｅｒ他著のＯｒｇａｎｉｃ Ｅｌｅｃｔｒｏｎｉｃｓ ２００３，４，８９−１０３に開示されている。
【０１６７】
カソード（５）は、電子または負の電荷担体の供給に用いられる電極である。カソードに適した材料は、元素の周期系の第Ｉａ族のアルカリ金属、例えばＬｉ、Ｃｓ、第ＩＩａ族のアルカリ土類金属、例えばカルシウム、バリウム又はマグネシウム、第ＩＩｂ族の金属（旧ＩＵＰＡＣ版）からなり、ランタノイド及びアクチノイド、例えばサマリウムを含む群から選択される。更に、アルミニウム又はインジウムのような金属も、並びに全ての上述の金属の組み合わせを使用することもできる。更に、リチウムを含有する有機金属化合物又はＬｉＦを、有機層とカソードとの間に適用して、駆動電圧を低減させることができる。
【０１６８】
本発明によるＯＬＥＤは、付加的に、当業者に公知の他の層を有してよい。例えば、層（２）と発光層（３）との間に、正電荷の輸送を軽減させ、および／または層の互いのバンドギャップを整合させる層が施こされていてよい。選択的に、前記の他の層は保護層としても使用することができる。同様に、発光層（３）と層（４）との間に、負電荷の輸送を軽減させ、および／または層間の互いのバンドギャップを整合させるために付加的な層が存在していてよい。選択的に、前記の層は保護層としても使用することができる。
【０１６９】
有利な一実施態様においては、本発明によるＯＬＥＤは、層（１）〜（５）の他に、以下に挙げられる更なる層：
−  アノード（１）と正孔輸送層（２）との間の正孔注入層；
−  正孔輸送層（２）と発光層（３）との間の電子についての障壁層；
−  発光層（３）と電子輸送層（４）との間の正孔についての障壁層；
−  電子輸送層（４）とカソード（５）との間の電子注入層
の少なくとも１つを有する。
【０１７０】
しかしながら、ＯＬＥＤは、記載された層の全てを有しなくともよく、例えば層（１）（アノード）、（３）（発光層）及び（５）（カソード）を有するＯＬＥＤも同様に適しており、その際、層（２）（正孔輸送層）及び層（４）（電子輸送層）の機能は、隣接する層によって引き受けられる。層（１）、（２）、（３）及び（５）又は層（１）、（３）、（４）及び（５）を有するＯＬＥＤは、同様に適している。
【０１７１】
これらの層が（例えば電気化学的試験に基づいて）適当な材料から選択しなければならないことは当業者に公知である。個々の層に適当な材料は、当業者に公知であり、例えばＷＯ００／７０６５５号に開示されている。
【０１７２】
更に、本発明によるＯＬＥＤの前記の層の各々は、２つ又はそれ以上の層から構成されていてよい。更に、層（１）、（２）、（３）、（４）および（５）の幾つかまたは全ては、電荷担体輸送の効率を高めるために表面処理されていてよい。前記の層の各々についての材料の選択は、有利には、高い効率及び寿命を有するＯＬＥＤが得られるようになされる。
【０１７３】
本発明によるＯＬＥＤの製造は、当業者に公知の方法により行なうことができる。一般に、本発明によるＯＬＥＤは、個々の層を好適な基体上に連続的に蒸着させることによって製造される。好適な基体は、例えばガラス又はポリマー被膜である。蒸着のためには、通常の技術、例えば熱的蒸発、化学蒸着などを使用することができる。代替法では、好適な溶剤中の溶液又は分散液から有機層を被覆することができ、その際、当業者に公知の被覆技術が使用される。
【０１７４】
一般に、種々の層は、以下の厚さを有する：アノード（１）５００〜５０００Å、有利には１０００〜２０００Å；正孔輸送層（２）５０〜１０００Å、有利には２００〜８００Å；発光層（３）１０〜１０００Å、有利には１００〜８００Å；電子輸送層（４）５０〜１０００Å、有利には２００〜８００Å；カソード（５）２００〜１００００Å、有利には３００〜５０００Å。本発明によるＯＬＥＤ中の正孔と電子の再結合領域の位置及び従ってＯＬＥＤの発光スペクトルは、各層の相対厚によって影響されうる。つまり、電子輸送層の厚さは、有利には、電子／正孔再結合領域が発光層中にあるように選択されることが望ましい。ＯＬＥＤ中の個々の層の層厚の比は、使用される材料に依存する。場合により使用される付加的な層の層厚は、当業者に公知である。
【０１７５】
本発明により使用される式Ｉの化合物を本発明によるＯＬＥＤの発光層におけるマトリクス材料として使用することによって、高い効率を有するＯＬＥＤを得ることができる。本発明によるＯＬＥＤの効率は、更に、他の層の最適化によって改善することができる。例えば、高効率なカソード、例えばＣａ又はＢａを、場合によりＬｉＦからなる中間層と組み合わせて使用することができる。駆動電圧の低減又は量子効率の向上を引き起こす成形された基体及び新規の正孔輸送材料は、同様に本発明によるＯＬＥＤ中で使用することができる。更に、種々の層のエネルギー準位を調整するため、およびエレクトロルミネセンスを簡易化するために、ＯＬＥＤｓ中に付加的な層が存在してよい。
【０１７６】
本発明によるＯＬＥＤは、エレクトロルミネセンスが有用な全ての装置で使用することができる。適当な装置は、有利には、定置式ディスプレイ及び可搬式ディスプレイから選択される。定置式ディスプレイは、例えばコンピュータ、テレビのディスプレイ、プリンタのディスプレイ、調理機器のディスプレイ並びに宣伝用ボード、照明及び標識板である。可搬式ディスプレイは、例えば携帯機器、ラップトップ、デジタルカメラ、車両のディスプレイならびにバス及び電車の目的地表示板である。
【０１７７】
更に、本発明により使用される式Ｉの化合物は、逆構造を有するＯＬＥＤ中で使用されることができる。有利には、本発明により使用される式Ｉの化合物は、この逆ＯＬＥＤにおいても、再び発光層中のマトリクス材料として使用される。逆ＯＬＥＤの構造及びそこで通常使用される材料は当業者に公知である。
【０１７８】
次の実施例は本発明を更に説明する。
【０１７９】
実施例
２種の異なるＯＬＥＤの製造を、正孔伝導体及び励起子／電子障壁としての式
【化８８】
2008538858.tif 000091
で示される化合物（製造については、刊行物ＷＯ０５／０１０３７９号Ａ２におけるＩｒ錯体（７）を参照のこと）と、本発明により使用される式
【化８９】
2008538858.tif 000092
のマトリクス材料と、式
【化９０】
2008538858.tif 000093
の発光体化合物とを使用して行った。
【０１８０】
アノードとして使用されるＩＴＯ基板を、まずＬＣＤ生産用の産業上の清浄剤（Ｄｅｃｏｎｅｘ（登録商標）２０ＮＳ及び中和剤２５ＯＲＧＡＮ−ＡＣＩＤ（登録商標））を用いて、引き続きアセトン／イソプロパノール混合物中で超音波浴において浄化した。考えられる有機残滓の除去のために、該基板をオゾン炉中で更に２５分間、連続的なオゾン流にさらした。前記の処理は、ＩＴＯの正孔注入をも改善した。
【０１８１】
蒸着速度は、全ての物質について約２ｎｍ／分であり、圧力は、約１０−7ミリバールであった。
【０１８２】
両方のＯＬＥＤの製造のために、まず正孔伝導体及び励起子／電子障壁を（２３５℃の坩堝温度）、２８ｎｍの厚さで浄化された基板上に蒸着させた。次いで、６７質量％のマトリクス材料（１２０℃の坩堝温度）及び３３質量％の発光体化合物（２４０℃の坩堝温度）からなる混合物の２０ｎｍ厚の層の堆積を行った。
【０１８３】
ＯＬＥＤ Ｉの場合に、それに引き続き電子導電体及び正孔障壁としてのＢＣＰ層を６０ｎｍの厚さで（１２０℃の坩堝温度）塗布した（ＢＣＰ＝２，９−ジメチル−４，７−ジフェニル−１，１０−フェナントロリン）。
【０１８４】
ＯＬＥＤ ＩＩの場合に、それに引き続き、式
【化９１】
2008538858.tif 000094
の化合物（製造については、先願のドイツ国特許出願第１０２００４０５７０７３．６号の実施例５ｂ）を参照のこと）の層を、５ｎｍの厚さで（２６０℃の坩堝温度）塗布し、そして式
【化９２】
2008538858.tif 000095
の化合物の更なる層を、４０ｎｍの厚さで（１７０℃の坩堝温度）塗布した。
【０１８５】
両方のＯＬＥＤの場合に、次いで、なおも０．７５ｎｍ厚のフッ化リチウム層を塗布し、そして最後に１１０ｎｍ厚のＡｌ電極を施与した。
【０１８６】
ＯＬＥＤの特性決定のために、エレクトロルミネセンス−スペクトルを種々の電流もしくは電圧で記録した。更に、電流−電圧特性曲線を、放射された光量を組み合わせて測定した。光量は、輝度計を用いて較正することによって光度量に換算することができる。
【０１８７】
両方のＯＬＥＤについて、以下の電気光学的データが得られる：
【表３】
2008538858.tif 000096
【国際調査報告】
2008538858.tif 000099
2008538858.tif 000100
2008538858.tif 000101
2008538858.tif 000102
2008538858.tif 000103
2008538858.tif 000104
2008538858.tif 000105
2008538858.tif 000106
2008538858.tif 000107
2008538858.tif 000108
2008538858.tif 000109
2008538858.tif 000110
2008538858.tif 000111